(57)【要約】  軸を画定するハウジングと、ねじ切りを有する内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するために回転可能にハウジングに取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ルアーロックアダプタが提供される。【選択図】なし
2019502458.tif 000002
【特許請求の範囲】
【請求項１】
軸を画定するハウジングと、
ねじ切りを有する内部ルアーロック要素であって、前記ルアーロック要素の前記ハウジングに対する第１の回転方向での前記軸周りの回転を可能にし、前記ルアーロック要素の前記ハウジングに対する、前記第１の回転方向と反対の第２の回転方向での前記軸周りの回転を制限するように、前記ハウジングの内方に配置され、前記ハウジングに対して前記軸周りに回転するために前記ハウジングに回転可能に取り付けられた内部ルアーロック要素とを備え、
そのことにより、前記ハウジングの内方に前記内部ルアーロック要素を配置することによって、前記第１の回転方向のその回転を制限する前記内部ルアーロック要素への手動アクセスが妨げられる、ルアーロックアダプタ。
【請求項２】
前記内部ルアーロック要素の前記第２の回転方向の回転は制限されるので、外部ルアーロック要素は、前記内部ルアーロック要素との螺合において前記外部ルアーロック要素を前記第２の回転方向に回転させることにより、前記内部ルアーロック要素に摩擦螺合して螺合係止され得、
前記外部ルアーロック要素の前記内部ルアーロック要素への係止後、前記内部ルアーロックの前記第１の回転方向の回転は制限されないので、かつ、前記外部ルアーロック要素が前記第１の回転方向に回転されたとき、前記外部ルアーロック要素と前記内部ルアーロック要素の前記摩擦係合により、前記内部ルアーロック要素は前記外部ルアーロック要素と一緒に前記第１の回転方向に回転するので、前記外部ルアーロック要素は、前記外部ルアーロック要素を前記第１の回転方向に回転させることによって前記内部ルアーロック要素から螺合解除され得ない、請求項１に記載のルアーロックアダプタ。
【請求項３】
前記ハウジングが、ポート接続端部を画定する前方ハウジング部およびルアー接続端部を画定する後方ハウジング部を備える、請求項２に記載のルアーロックアダプタ。
【請求項４】
前記前方ハウジング部および前記後方ハウジング部が、相対的な軸方向移動およびそれらの間の前記軸に対する相対的な方位角方向移動の両方を妨げるように互いに固定的に装着される、請求項３に記載のルアーロックアダプタ。
【請求項５】
前記前方ハウジング部内に配置されたセプタムハウジング部も備える、請求項３に記載のルアーロックアダプタ。
【請求項６】
前記セプタムハウジングを、前記内部ルアーロック要素に対して前方に付勢する圧縮ばねも備える、請求項５に記載のルアーロックアダプタ。
【請求項７】
前記ハウジングが、ポート接続端部を画定する前方ハウジング部およびルアー接続端部を画定する後方ハウジング部を備える、請求項１に記載のルアーロックアダプタ。
【請求項８】
前記前方ハウジング部および前記後方ハウジング部が、相対的な軸方向移動およびそれらの間の前記軸に対する相対的な方位角方向移動の両方を妨げるように互いに固定的に装着される、請求項７に記載のルアーロックアダプタ。
【請求項９】
前記前方ハウジング部内に配置されたセプタムハウジング部も備える、請求項７に記載のルアーロックアダプタ。
【請求項１０】
前記セプタムハウジングを、前記内部ルアーロック要素に対して前方に付勢する圧縮ばねも備える、請求項９に記載のルアーロックアダプタ。
【請求項１１】
前記内部ルアーロック要素が、メスルアーコネクタ部をその後ろ向き端部に備えるハブ要素を備える、請求項９に記載のルアーロックアダプタ。
【請求項１２】
前記ハブ要素が、その前向き端部に針取付け部を備え、尖端を有する針が、ポート接続がない場合には前記針の前記尖端が前記セプタムハウジング内に位置するように、前記針取付け部に取り付けられ、前記軸に沿って前記前方ハウジング部内に軸方向前方に延在する、請求項１１に記載のルアーロックアダプタ。
【請求項１３】
前記ハウジングおよび前記内部ルアーロック要素がそれぞれ、前記内部ルアーロック要素の前記ハウジングに対する前記第１の回転方向の前記軸周りの自在な回転を可能にし、前記内部ルアーロック要素の前記ハウジングに対する前記第２の回転方向の回転を制限するように協働する歯止め型部分を含む、請求項１に記載のルアーロックアダプタ。
【請求項１４】
前記歯止め型部分は、前記ハウジングに形成された少なくとも１つの歯付き縁および前記内部ルアーロック要素に形成された少なくとも１つの歯付き縁を含み、前記内部ルアーロック要素に形成された前記少なくとも１つの歯付き縁は、前記内部ルアーロック要素と前記ハウジングの前記第２の回転方向の前記軸周りの相対的回転を制限するために、前記ハウジングに形成された前記少なくとも１つの歯付き縁と協働するように配置されている、請求項１３に記載のルアーロックアダプタ。
【請求項１５】
前記内部ルアーロック要素に形成された前記少なくとも１つの歯付き縁および前記ハウジングに形成された前記少なくとも１つの歯付き縁がそれぞれ、単一の歯付き縁を備える、請求項１４に記載のルアーロックアダプタ。
【請求項１６】
前記内部ルアーロック要素に形成された前記少なくとも１つの歯付き縁および前記ハウジングに形成された前記少なくとも１つの歯付き縁がそれぞれ、一対の歯付き縁を備える、請求項１４に記載のルアーロックアダプタ。
【請求項１７】
前記内部ルアーロック要素が、第１の相対軸方向位置と第２の相対軸方向位置の間で前記ハウジングに対して前記軸に沿って軸方向に変位可能であり、前記ハウジングに形成された前記少なくとも１つの歯付き縁および前記内部ルアーロック要素に形成された少なくとも１つの歯付き縁は、前記内部ルアーロック要素が前記第１の相対軸方向位置および前記第２の相対軸方向位置のいずれかにあるとき、前記内部ルアーロック要素と前記ハウジングの前記第２の回転方向の前記軸周りの相対的回転を制限するために協働する、請求項１６に記載のルアーロックアダプタ。
【請求項１８】
前記ハウジングに形成された前記少なくとも１つの歯付き縁および前記内部ルアーロック要素に形成された少なくとも１つの歯付き縁は、前記内部ルアーロック要素が前記第１の相対軸方向位置と前記第２の相対軸方向位置の間のかつそれらを含む、前記ハウジングに対して任意の位置にあるとき、前記内部ルアーロック要素と前方ハウジングの前記第１の回転方向の前記軸周りの相対的回転を可能にするために協働する、請求項１７に記載のルアーロックアダプタ。
【請求項１９】
前記歯止め型部分は、前記内部ルアーロック要素と前記ハウジングの前記第２の回転方向の前記軸周りの相対的回転を制限するために、前記ハウジングと前記内部ルアーロック要素の少なくとも一方に形成された少なくとも１つの半径方向に延在している歯、および前記ハウジングと前記内部ルアーロック要素の他方に形成された少なくとも１つのソケットを含む、請求項１３に記載のルアーロックアダプタ。
【請求項２０】
前記少なくとも１つの半径方向に延在している歯が前記ハウジングに形成され、前記少なくとも１つのソケットが前記内部ルアーロック要素に形成される、請求項１９に記載のルアーロックアダプタ。
【発明の詳細な説明】
【技術分野】
【０００１】
本発明は、一般に医療用コネクタに関し、より詳細にはルアーロックアダプタに関する。
【背景技術】
【０００２】
様々な種類のルアーロックアダプタが当技術分野で既知である。
【発明の概要】
【０００３】
本発明は、改良されたルアーロックアダプタを提供することを目的とする。
【０００４】
そこで、本発明の好ましい実施形態にしたがって、軸を画定するハウジングと、ねじ切りを有する内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するためにハウジングに回転可能に取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ルアーロックアダプタが提供される。
【０００５】
本発明の好ましい実施形態によれば、内部ルアーロック要素の第２の回転方向の回転は制限されるので、外部ルアーロック要素は、内部ルアーロック要素との螺合において外部ルアーロック要素を第２の回転方向に回転させることにより、内部ルアーロック要素に摩擦螺合して螺合係止され得、外部ルアーロック要素の内部ルアーロック要素への係止後、内部ルアーロックの第１の回転方向の回転は制限されないので、かつ、外部ルアーロック要素が第１の回転方向に回転されたとき、外部ルアーロック要素と内部ルアーロック要素の摩擦係合により、内部ルアーロック要素は外部ルアーロック要素と一緒に第１の回転方向に回転するので、外部ルアーロック要素は、外部ルアーロック要素を第１の回転方向に回転させることによって内部ルアーロック要素から螺合解除され得ない。
【０００６】
好ましくは、ハウジングは、ポート接続端部を画定する前方ハウジング部およびルアー接続端部を画定する後方ハウジング部を含む。さらに、前方ハウジング部および後方ハウジング部は、相対的な軸方向移動およびそれらの間の軸に対する相対的な方位角方向移動の両方を妨げるように、互いに固定的に装着される。
【０００７】
本発明の好ましい実施形態によれば、ルアーロックアダプタはまた、前方ハウジング部内に配置されたセプタムハウジング部も含む。さらに、ルアーロックアダプタはまた、セプタムハウジングを、内部ルアーロック要素に対して前方に付勢する圧縮ばねも含む。
【０００８】
好ましくは、内部ルアーロック要素は、その後ろ向き端部にメスルアーコネクタ部を含むハブ要素を含む。さらに、ハブ要素は、その前向き端部に、針取付け部を含み、尖端を有する針は、ポート接続がない場合は針の尖端がセプタムハウジング内に位置するように、針取付け部に取り付けられ、軸に沿って前方ハウジング部内に軸方向前方に延在する。
【０００９】
本発明の好ましい実施形態によれば、ハウジングおよび内部ルアーロック要素はそれぞれ、内部ルアーロック要素のハウジングに対する第１の回転方向の軸周りの自在な回転を可能にし、内部ルアーロック要素のハウジングに対する第２の回転方向の回転を制限するように協働する歯止め型部分を含む。さらに、歯止め型部分は、ハウジングに形成された少なくとも１つの歯付き縁および内部ルアーロック要素に形成された少なくとも１つの歯付き縁を含み、内部ルアーロック要素に形成された少なくとも１つの歯付き縁は、内部ルアーロック要素とハウジングの第２の回転方向の軸周りの相対的回転を制限することにおいて、ハウジングに形成された少なくとも１つの歯付き縁と協働するように配置されている。
【００１０】
好ましくは、内部ルアーロック要素に形成された少なくとも１つの歯付き縁およびハウジングに形成された少なくとも１つの歯付き縁はそれぞれ、単一の歯付き縁を含む。代替として、内部ルアーロック要素に形成された少なくとも１つの歯付き縁およびハウジングに形成された少なくとも１つの歯付き縁はそれぞれ、一対の歯付き縁を含む。
【００１１】
本発明の好ましい実施形態によれば、内部ルアーロック要素は、第１の相対軸方向位置と第２の相対軸方向位置の間でハウジングに対して軸に沿って軸方向に変位可能であり、ハウジングに形成された少なくとも１つの歯付き縁および内部ルアーロック要素に形成された少なくとも１つの歯付き縁は、内部ルアーロック要素が第１の相対軸方向位置および第２の相対軸方向位置のいずれかにあるとき、内部ルアーロック要素とハウジングの第２の回転方向の軸周りの相対的回転を制限することにおいて協働する。さらに、ハウジングに形成された少なくとも１つの歯付き縁および内部ルアーロック要素に形成された少なくとも１つの歯付き縁は、内部ルアーロック要素が第１の相対軸方向位置および第２の相対軸方向位置の間のかつそれらを含む、ハウジングに対して任意の位置にあるとき、内部ルアーロック要素とハウジングの第１の回転方向の軸周りの相対的回転を可能にすることにおいて協働する。
【００１２】
好ましくは、歯止め型部分は、内部ルアーロック要素とハウジングの第２の回転方向の軸周りの相対的回転を制限するために、ハウジングおよび内部ルアーロック要素の少なくとも１つに形成された少なくとも１つの半径方向に延在する歯と、ハウジングおよび内部ルアーロック要素のもう１つに形成された少なくとも１つのソケットとを含む。さらに、少なくとも１つの半径方向に延在する歯はハウジングに形成され、少なくとも１つのソケットは内部ルアーロック要素に形成される。
【００１３】
本発明は、図面と併せて以下の詳細な説明からより完全に理解かつ認識されよう。
【図面の簡単な説明】
【００１４】
【図１Ａ】本発明の好ましい実施形態により構成され動作するルアーロックアダプタの簡略化された第１の側面図である。
【図１Ｂ】本発明の好ましい実施形態により構成され動作するルアーロックアダプタの簡略化された第２の側面図である。
【図１Ｃ】本発明の好ましい実施形態により構成され動作するルアーロックアダプタの簡略化された第１の端面図である。
【図１Ｄ】本発明の好ましい実施形態により構成され動作するルアーロックアダプタの簡略化された第２の端面図である。
【図１Ｅ】図１Ｄの線ＩＥ−ＩＥに沿った、本発明の好ましい実施形態により構成され動作するルアーロックアダプタの簡略化された断面図である。
【図２】図１Ａ〜１Ｅのルアーロックアダプタの簡略化された分解図である。
【図３Ａ】図１Ａ〜２のルアーロックアダプタの前方ハウジング部の形成部の簡略化された第１の側面図である。
【図３Ｂ】図１Ａ〜２のルアーロックアダプタの前方ハウジング部の形成部の簡略化された第２の側面図である。
【図３Ｃ】図１Ａ〜２のルアーロックアダプタの前方ハウジング部の形成部の簡略化されたルアー接続端部の斜視端面図である。
【図３Ｄ】図３Ｃの線ＩＩＩＤ−ＩＩＩＤに沿った、図１Ａ〜２のルアーロックアダプタの前方ハウジング部の形成部の簡略化された断面図である。
【図４Ａ】図１Ａ〜２のルアーロックアダプタの形成部である前方セプタムの簡略化された説明図である。
【図４Ｂ】図１Ａ〜２のルアーロックアダプタの形成部である前方セプタムの簡略化された説明図である。
【図５Ａ】図１Ａ〜２のルアーロックアダプタのセプタムハウジング部の形成部の簡略化された第１の側面図である。
【図５Ｂ】図１Ａ〜２のルアーロックアダプタのセプタムハウジング部の形成部の簡略化された第２の側面図である。
【図５Ｃ】図１Ａ〜２のルアーロックアダプタのセプタムハウジング部の形成部の簡略化された端面図である。
【図５Ｄ】図５Ａの線ＶＤ−ＶＤに沿った、図１Ａ〜２のルアーロックアダプタのセプタムハウジング部の形成部の簡略化された断面図である。
【図６Ａ】図１Ａ〜２のルアーロックアダプタのハブ要素の形成部の簡略化された第１の側面図である。
【図６Ｂ】図１Ａ〜２のルアーロックアダプタのハブ要素の形成部の簡略化された第２の側面図である。
【図６Ｃ】図１Ａ〜２のルアーロックアダプタのハブ要素の形成部の簡略化された第１の斜視端面図である。
【図６Ｄ】図１Ａ〜２のルアーロックアダプタのハブ要素の形成部の簡略化された第２の斜視端面図である。
【図６Ｅ】図６Ｃの線ＶＩＥ−ＶＩＥに沿った、図１Ａ〜２のルアーロックアダプタのハブ要素の形成部の簡略化された断面図である。
【図７Ａ】図１Ａ〜２のルアーロックアダプタの後方ハウジング部の形成部の簡略化された第１の斜視端面図である。
【図７Ｂ】図１Ａ〜２のルアーロックアダプタの後方ハウジング部の形成部の簡略化された第２の斜視端面図である。
【図７Ｃ】図７Ａの線ＶＩＩＣ−ＶＩＩＣに沿った、図１Ａ〜２のルアーロックアダプタの後方ハウジング部の形成部の簡略化された断面図である。
【図８Ａ】図１Ａ〜７Ｃのルアーロックアダプタの、従来のルアーロックシリンジに対する第１の動作方位における簡略化された図である。
【図８Ｂ】図１Ａ〜７Ｃのルアーロックアダプタの、従来のルアーロックシリンジに対する第２の動作方位における簡略化された図である。
【図８Ｃ】図１Ａ〜７Ｃのルアーロックアダプタの、従来のルアーロックシリンジに対する第３の動作方位における簡略化された図である。
【図８Ｄ】図１Ａ〜７Ｃのルアーロックアダプタの、従来のルアーロックシリンジに対する第４の動作方位における簡略化された図である。
【図８Ｅ】図１Ａ〜７Ｃのルアーロックアダプタの、従来のルアーロックシリンジに対する第５の動作方位における簡略化された図である。
【図８Ｆ】図１Ａ〜７Ｃのルアーロックアダプタの、従来のルアーロックシリンジに対する第６の動作方位における簡略化された図である。
【図８Ｇ】図１Ａ〜７Ｃのルアーロックアダプタの、従来のルアーロックシリンジに対する第７の動作方位における簡略化された図である。
【図９Ａ】図１Ａ〜７Ｃのルアーロックアダプタの、従来のルアーロックコネクタに対する第１の動作方位における簡略化された図である。
【図９Ｂ】図１Ａ〜７Ｃのルアーロックアダプタの、従来のルアーロックコネクタに対する第２の動作方位における簡略化された図である。
【図９Ｃ】図１Ａ〜７Ｃのルアーロックアダプタの、従来のルアーロックコネクタに対する第３の動作方位における簡略化された図である。
【図９Ｄ】図１Ａ〜７Ｃのルアーロックアダプタの、従来のルアーロックコネクタに対する第４の動作方位における簡略化された図である。
【図９Ｅ】図１Ａ〜７Ｃのルアーロックアダプタの、従来のルアーロックコネクタに対する第５の動作方位における簡略化された図である。
【図９Ｆ】図１Ａ〜７Ｃのルアーロックアダプタの、従来のルアーロックコネクタに対する第６の動作方位における簡略化された図である。
【図９Ｇ】図１Ａ〜７Ｃのルアーロックアダプタの、従来のルアーロックコネクタに対する第７の動作方位における簡略化された図である。
【図１０Ａ】本発明の別の好ましい実施形態により構成され動作するルアーロックアダプタの簡略化された第１の側面図である。
【図１０Ｂ】本発明の別の好ましい実施形態により構成され動作するルアーロックアダプタの簡略化された第２の側面図である。
【図１０Ｃ】本発明の別の好ましい実施形態により構成され動作するルアーロックアダプタの簡略化された斜視図である。
【図１０Ｄ】本発明の別の好ましい実施形態により構成され動作するルアーロックアダプタの簡略化された第１の端面図である。
【図１０Ｅ】本発明の別の好ましい実施形態により構成され動作するルアーロックアダプタの簡略化された第２の端面図である。
【図１０Ｆ】図１０Ｅの線ＸＦ−ＸＦに沿った、本発明の別の好ましい実施形態により構成され動作するルアーロックアダプタの簡略化された断面図である。
【図１１】図１０Ａ〜１０Ｆのルアーロックアダプタの簡略化された分解図である。
【図１２Ａ】図１０Ａ〜１１のルアーロックアダプタの前方ハウジング部の形成部の簡略化された第１の側面図である。
【図１２Ｂ】図１０Ａ〜１１のルアーロックアダプタの前方ハウジング部の形成部の簡略化された第２の側面図である。
【図１２Ｃ】図１０Ａ〜１１のルアーロックアダプタの前方ハウジング部の形成部の簡略化されたルアー接続端部の斜視端面図である。
【図１２Ｄ】図１２Ｃの線ＸＩＩＤ−ＸＩＩＤに沿った、図１０Ａ〜１１のルアーロックアダプタの前方ハウジング部の形成部の簡略化された断面図である。
【図１２Ｅ】図１２Ｃの線ＸＩＩＥ−ＸＩＩＥに沿った、図１０Ａ〜１１のルアーロックアダプタの前方ハウジング部の形成部の簡略化された断面図である。
【図１２Ｆ】図１２Ｃの線ＸＩＩＦ−ＸＩＩＦに沿った、図１０Ａ〜１１のルアーロックアダプタの前方ハウジング部の形成部の簡略化された断面図である。
【図１３Ａ】図１０Ａ〜１１のルアーロックアダプタのセプタムハウジング部の形成部の簡略化された後ろ向き斜視図である。
【図１３Ｂ】図１０Ａ〜１１のルアーロックアダプタのセプタムハウジング部の形成部の簡略化された前向き斜視図である。
【図１３Ｃ】図１０Ａ〜１１のルアーロックアダプタのセプタムハウジング部の形成部の簡略化された側面図である。
【図１３Ｄ】図１０Ａ〜１１のルアーロックアダプタのセプタムハウジング部の形成部の簡略化された前向き端面図である。
【図１３Ｅ】図１３Ａの線ＸＩＩＩＥ−ＸＩＩＩＥに沿った、図１０Ａ〜１１のルアーロックアダプタのセプタムハウジング部の形成部の簡略化された断面図である。
【図１４Ａ】図１０Ａ〜１１のルアーロックアダプタのハブ要素の形成部の簡略化された第１の側面図である。
【図１４Ｂ】図１０Ａ〜１１のルアーロックアダプタのハブ要素の形成部の簡略化された第２の側面図である。
【図１４Ｃ】図１０Ａ〜１１のルアーロックアダプタのハブ要素の形成部の簡略化された第１の斜視端面図である。
【図１４Ｄ】図１０Ａ〜１１のルアーロックアダプタのハブ要素の形成部の簡略化された第２の斜視端面図である。
【図１４Ｅ】図１４Ｃの線ＸＩＶＥ−ＸＩＶＥに沿った、図１０Ａ〜１１のルアーロックアダプタのハブ要素の形成部の簡略化された断面図である。
【図１５Ａ】図１０Ａ〜１１のルアーロックアダプタの後方ハウジング部の形成部の簡略化された第１の斜視端面図である。
【図１５Ｂ】図１０Ａ〜１１のルアーロックアダプタの後方ハウジング部の形成部の簡略化された第２の斜視端面図である。
【図１５Ｃ】図１０Ａ〜１１のルアーロックアダプタの後方ハウジング部の形成部の簡略化された断面図である。
【図１６Ａ】図１０Ａ〜１６Ｃのルアーロックアダプタの、従来のルアーロックシリンジに対する第１の動作方位における簡略化された図である。
【図１６Ｂ】図１０Ａ〜１６Ｃのルアーロックアダプタの、従来のルアーロックシリンジに対する第２の動作方位における簡略化された図である。
【図１６Ｃ】図１０Ａ〜１６Ｃのルアーロックアダプタの、従来のルアーロックシリンジに対する第３の動作方位における簡略化された図である。
【図１６Ｄ】図１０Ａ〜１６Ｃのルアーロックアダプタの、従来のルアーロックシリンジに対する第４の動作方位における簡略化された図である。
【図１６Ｅ】図１０Ａ〜１６Ｃのルアーロックアダプタの、従来のルアーロックシリンジに対する第５の動作方位における簡略化された図である。
【図１６Ｆ】図１０Ａ〜１６Ｃのルアーロックアダプタの、従来のルアーロックシリンジに対する第６の動作方位における簡略化された図である。
【図１７Ａ】図１０Ａ〜１５Ｃのルアーロックアダプタの、従来のルアーロックコネクタに対する第１の動作方位における簡略化された図である。
【図１７Ｂ】図１０Ａ〜１５Ｃのルアーロックアダプタの、従来のルアーロックコネクタに対する第２の動作方位における簡略化された図である。
【図１７Ｃ】図１０Ａ〜１５Ｃのルアーロックアダプタの、従来のルアーロックコネクタに対する第３の動作方位における簡略化された図である。
【図１７Ｄ】図１０Ａ〜１５Ｃのルアーロックアダプタの、従来のルアーロックコネクタに対する第４の動作方位における簡略化された図である。
【図１７Ｅ】図１０Ａ〜１５Ｃのルアーロックアダプタの、従来のルアーロックコネクタに対する第５の動作方位における簡略化された図である。
【図１７Ｆ】図１０Ａ〜１５Ｃのルアーロックアダプタの、従来のルアーロックコネクタに対する第６の動作方位における簡略化された図である。
【図１８Ａ】本発明の別の好ましい実施形態により構成され動作するルアーロックアダプタの簡略化された第１の側面図である。
【図１８Ｂ】本発明の別の好ましい実施形態により構成され動作するルアーロックアダプタの簡略化された第２の側面図である。
【図１８Ｃ】本発明の別の好ましい実施形態により構成され動作するルアーロックアダプタの簡略化された第１の端面図である。
【図１８Ｄ】本発明の別の好ましい実施形態により構成され動作するルアーロックアダプタの簡略化された第２の端面図である。
【図１８Ｅ】図１８Ｄの線ＸＶＩＩＩＥ−ＸＶＩＩＩＥに沿った、本発明の別の好ましい実施形態により構成され動作するルアーロックアダプタの簡略化された断面図である。
【図１９】図１８Ａ〜１８Ｅのルアーロックアダプタの簡略化された分解図である。
【図２０Ａ】図１８Ａ〜１９のルアーロックアダプタの前方ハウジング部の形成部の簡略化された第１の側面図である。
【図２０Ｂ】図１８Ａ〜１９のルアーロックアダプタの前方ハウジング部の形成部の簡略化された第２の側面図である。
【図２０Ｃ】図１８Ａ〜１９のルアーロックアダプタの前方ハウジング部の形成部の簡略化されたルアー接続端部の斜視端面図である。
【図２０Ｄ】図２０Ｃの線ＸＸＤ−ＸＸＤに沿った、図１８Ａ〜１９のルアーロックアダプタの前方ハウジング部の形成部の簡略化された断面図である。
【図２１Ａ】図１８Ａ〜１９のルアーロックアダプタの形成部である前方セプタムの簡略化された説明図である。
【図２１Ｂ】図１８Ａ〜１９のルアーロックアダプタの形成部である前方セプタムの簡略化された説明図である。
【図２２Ａ】図１８Ａ〜１９のルアーロックアダプタのセプタムハウジング部の形成部の簡略化された第１の側面図である。
【図２２Ｂ】図１８Ａ〜１９のルアーロックアダプタのセプタムハウジング部の形成部の簡略化された第２の側面図である。
【図２２Ｃ】図１８Ａ〜１９のルアーロックアダプタのセプタムハウジング部の形成部の簡略化された端面図である。
【図２２Ｄ】図２２Ａの線ＸＸＩＩＤ−ＸＸＩＩＤに沿った、図１８Ａ〜１９のルアーロックアダプタのセプタムハウジング部の形成部の簡略化された断面図である。
【図２３Ａ】図１８Ａ〜１９のルアーロックアダプタのハブ要素の形成部の簡略化された第１の側面図である。
【図２３Ｂ】図１８Ａ〜１９のルアーロックアダプタのハブ要素の形成部の簡略化された第２の側面図である。
【図２３Ｃ】図１８Ａ〜１９のルアーロックアダプタのハブ要素の形成部の簡略化された第１の斜視端面図である。
【図２３Ｄ】図１８Ａ〜１９のルアーロックアダプタのハブ要素の形成部の簡略化された第２の斜視端面図である。
【図２３Ｅ】図２３Ｃの線ＸＸＩＩＩＥ−ＸＸＩＩＩＥに沿った、図１８Ａ〜１９のルアーロックアダプタのハブ要素の形成部の簡略化された断面図である。
【図２３Ｆ】図１８Ｅの線ＸＸＩＩＩＦ−ＸＸＩＩＩＦに沿った、図１８Ａ〜１９のルアーロックアダプタのハブ要素と後方ハウジング部の、４つの異なる回転方位における相対的位置決めの簡略化された断面図である。
【図２３Ｇ】図１８Ｅの線ＸＸＩＩＩＦ−ＸＸＩＩＩＦに沿った、図１８Ａ〜１９のルアーロックアダプタのハブ要素と後方ハウジング部の、４つの異なる回転方位における相対的位置決めの簡略化された断面図である。
【図２３Ｈ】図１８Ｅの線ＸＸＩＩＩＦ−ＸＸＩＩＩＦに沿った、図１８Ａ〜１９のルアーロックアダプタのハブ要素と後方ハウジング部の、４つの異なる回転方位における相対的位置決めの簡略化された断面図である。
【図２３Ｉ】図１８Ｅの線ＸＸＩＩＩＦ−ＸＸＩＩＩＦに沿った、図１８Ａ〜１９のルアーロックアダプタのハブ要素と後方ハウジング部の、４つの異なる回転方位における相対的位置決めの簡略化された断面図である。
【図２４Ａ】図１８Ａ〜１９のルアーロックアダプタの後方ハウジング部の形成部の簡略化された斜視端面図である。
【図２４Ｂ】図１８Ａ〜１９のルアーロックアダプタの後方ハウジング部の形成部の簡略化された切り取り斜視端面図である。
【図２４Ｃ】図１８Ａ〜１９のルアーロックアダプタの後方ハウジング部の形成部の簡略化された断面図である。
【図２５Ａ】図１８Ａ〜２４Ｃのルアーロックアダプタの、従来のルアーロックシリンダに対する第１の動作方位における簡略化された図である。
【図２５Ｂ】図１８Ａ〜２４Ｃのルアーロックアダプタの、従来のルアーロックシリンダに対する第２の動作方位における簡略化された図である。
【図２５Ｃ】図１８Ａ〜２４Ｃのルアーロックアダプタの、従来のルアーロックシリンダに対する第３の動作方位における簡略化された図である。
【図２５Ｄ】図１８Ａ〜２４Ｃのルアーロックアダプタの、従来のルアーロックシリンダに対する第４の動作方位における簡略化された図である。
【図２５Ｅ】図１８Ａ〜２４Ｃのルアーロックアダプタの、従来のルアーロックシリンダに対する第５の動作方位における簡略化された図である。
【図２５Ｆ】図１８Ａ〜２４Ｃのルアーロックアダプタの、従来のルアーロックシリンダに対する第６の動作方位における簡略化された図である。
【図２６Ａ】図１Ａ〜７Ｃのルアーロックアダプタの、従来のルアーロックコネクタに対する第１の動作方位における簡略化された図である。
【図２６Ｂ】図１Ａ〜７Ｃのルアーロックアダプタの、従来のルアーロックコネクタに対する第２の動作方位における簡略化された図である。
【図２６Ｃ】図１Ａ〜７Ｃのルアーロックアダプタの、従来のルアーロックコネクタに対する第３の動作方位における簡略化された図である。
【図２６Ｄ】図１Ａ〜７Ｃのルアーロックアダプタの、従来のルアーロックコネクタに対する第４の動作方位における簡略化された図である。
【図２６Ｅ】図１Ａ〜７Ｃのルアーロックアダプタの、従来のルアーロックコネクタに対する第５の動作方位における簡略化された図である。
【図２６Ｆ】図１Ａ〜７Ｃのルアーロックアダプタの、従来のルアーロックコネクタに対する第６の動作方位における簡略化された図である。
【図２７Ａ】本発明のさらに別の好ましい実施形態により構成され動作するルアーロックアダプタの簡略化された第１の側面図である。
【図２７Ｂ】本発明のさらに別の好ましい実施形態により構成され動作するルアーロックアダプタの簡略化された第２の側面図である。
【図２７Ｃ】本発明のさらに別の好ましい実施形態により構成され動作するルアーロックアダプタの簡略化された第１の端面図である。
【図２７Ｄ】本発明のさらに別の好ましい実施形態により構成され動作するルアーロックアダプタの簡略化された第２の端面図である。
【図２７Ｅ】図２７Ｄの線ＸＸＶＩＩＥ−ＸＸＶＩＩＥに沿った、本発明のさらに別の好ましい実施形態により構成され動作するルアーロックアダプタの簡略化された断面図である。
【図２８】図２７Ａ〜２７Ｅのルアーロックアダプタの簡略化された分解図である。
【図２９Ａ】図２７Ａ〜２８のルアーロックアダプタの前方ハウジング部の形成部の簡略化された第１の側面図である。
【図２９Ｂ】図２７Ａ〜２８のルアーロックアダプタの前方ハウジング部の形成部の簡略化された第２の側面図である。
【図２９Ｃ】図２７Ａ〜２８のルアーロックアダプタの前方ハウジング部の形成部の簡略化されたルアー接続端部の斜視端面図である。
【図２９Ｄ】図２９Ｃの線ＸＸＩＸＤ−ＸＸＩＸＤに沿った、図２７Ａ〜２８のルアーロックアダプタの前方ハウジング部の形成部の簡略化された断面図である。
【図３０Ａ】図２７Ａ〜２８のルアーロックアダプタのセプタムハウジング部の形成部の簡略化された後ろ向き斜視図である。
【図３０Ｂ】図２７Ａ〜２８のルアーロックアダプタのセプタムハウジング部の形成部の簡略化された前向き斜視図である。
【図３０Ｃ】図２７Ａ〜２８のルアーロックアダプタのセプタムハウジング部の形成部の簡略化された側面図である。
【図３０Ｄ】図３０Ａの線ＸＸＸＤ−ＸＸＸＤに沿った、図２７Ａ〜２８のルアーロックアダプタのセプタムハウジング部の形成部の簡略化された前向き端面図である。
【図３０Ｅ】図２７Ａ〜２８のルアーロックアダプタのセプタムハウジング部の形成部の簡略化された断面図である。
【図３１Ａ】図２７Ａ〜２８のルアーロックアダプタのハブ要素の形成部の簡略化された第１の側面図である。
【図３１Ｂ】図２７Ａ〜２８のルアーロックアダプタのハブ要素の形成部の簡略化された第２の側面図である。
【図３１Ｃ】図２７Ａ〜２８のルアーロックアダプタのハブ要素の形成部の簡略化された第１の斜視端面図である。
【図３１Ｄ】図２７Ａ〜２８のルアーロックアダプタのハブ要素の形成部の簡略化された第２の斜視端面図である。
【図３１Ｅ】図３１Ｃの線ＸＸＸＩＥ−ＸＸＸＩＥに沿った、図２７Ａ〜２８のルアーロックアダプタのハブ要素の形成部の簡略化された断面図である。
【図３１Ｆ】図２７Ｅの線ＸＸＸＩＦ−ＸＸＸＩＦに沿った、図２７Ａ〜２８のルアーロックアダプタのハブ要素と後方ハウジング部の、４つの異なる回転方位における相対的位置決めの簡略化された断面図である。
【図３１Ｇ】図２７Ｅの線ＸＸＸＩＦ−ＸＸＸＩＦに沿った、図２７Ａ〜２８のルアーロックアダプタのハブ要素と後方ハウジング部の、４つの異なる回転方位における相対的位置決めの簡略化された断面図である。
【図３１Ｈ】図２７Ｅの線ＸＸＸＩＦ−ＸＸＸＩＦに沿った、図２７Ａ〜２８のルアーロックアダプタのハブ要素と後方ハウジング部の、４つの異なる回転方位における相対的位置決めの簡略化された断面図である。
【図３１Ｉ】図２７Ｅの線ＸＸＸＩＦ−ＸＸＸＩＦに沿った、図２７Ａ〜２８のルアーロックアダプタのハブ要素と後方ハウジング部の、４つの異なる回転方位における相対的位置決めの簡略化された断面図である。
【図３２Ａ】図２７Ａ〜２８のルアーロックアダプタの後方ハウジング部の形成部の簡略化された斜視端面図である。
【図３２Ｂ】図２７Ａ〜２８のルアーロックアダプタの後方ハウジング部の形成部の簡略化された切り取り斜視端面図である。
【図３２Ｃ】図２７Ａ〜２８のルアーロックアダプタの後方ハウジング部の形成部の簡略化された断面図である。
【図３３Ａ】図１８Ａ〜２４Ｃのルアーロックアダプタの、従来のルアーロックシリンジに対する第１の動作方位における簡略化された図である。
【図３３Ｂ】図１８Ａ〜２４Ｃのルアーロックアダプタの、従来のルアーロックシリンジに対する第２の動作方位における簡略化された図である。
【図３３Ｃ】図１８Ａ〜２４Ｃのルアーロックアダプタの、従来のルアーロックシリンジに対する第３の動作方位における簡略化された図である。
【図３３Ｄ】図１８Ａ〜２４Ｃのルアーロックアダプタの、従来のルアーロックシリンジに対する第４の動作方位における簡略化された図である。
【図３３Ｅ】図１８Ａ〜２４Ｃのルアーロックアダプタの、従来のルアーロックシリンジに対する第５の動作方位における簡略化された図である。
【図３３Ｆ】図１８Ａ〜２４Ｃのルアーロックアダプタの、従来のルアーロックシリンジに対する第６の動作方位における簡略化された図である。
【図３４Ａ】図１Ａ〜７Ｃのルアーロックアダプタの、従来のルアーロックコネクタに対する第１の動作方位における簡略化された図である。
【図３４Ｂ】図１Ａ〜７Ｃのルアーロックアダプタの、従来のルアーロックコネクタに対する第２の動作方位における簡略化された図である。
【図３４Ｃ】図１Ａ〜７Ｃのルアーロックアダプタの、従来のルアーロックコネクタに対する第３の動作方位における簡略化された図である。
【図３４Ｄ】図１Ａ〜７Ｃのルアーロックアダプタの、従来のルアーロックコネクタに対する第４の動作方位における簡略化された図である。
【図３４Ｅ】図１Ａ〜７Ｃのルアーロックアダプタの、従来のルアーロックコネクタに対する第５の動作方位における簡略化された図である。
【図３４Ｆ】図１Ａ〜７Ｃのルアーロックアダプタの、従来のルアーロックコネクタに対する第６の動作方位における簡略化された図である。
【発明を実施するための形態】
【００１５】
本発明の好ましい実施形態により構成され動作するルアーロックアダプタの簡略化されたそれぞれ第１の側面図、第２の側面図、第１の端面図、第２の端面図および図１Ｄの線ＩＥ−ＩＥに沿った断面図である図１Ａ、１Ｂ、１Ｃ、１Ｄおよび１Ｅ、ならびに図１Ａ〜１Ｅのルアーロックアダプタの簡略化された分解図である図２をここで参照する。
【００１６】
図１Ａ〜１Ｅおよび図２で把握されるように、長手軸１０１に概ね沿って延在しルアー接続端部１０２およびポート接続端部１０４を有するルアーロックアダプタ１００が提供される。メスルアー接続端部１０２が示されているが、ルアー接続端部は、任意の適切なルアー接続端部であってもよい。特定のポート接続端部１０４が示されているが、ポート接続端部１０４は、任意の適切なポート接続端部１０４であってもよい。ポート接続部の様々な例が、本明細書によってその内容が参照により援用される出願者／譲受人米国特許第８,１２２,９２３号に記載される。ルアーロックアダプタ１００は、前方ハウジング部１１０および後方ハウジング部１２０を含むことが好ましく、それらは相対的な軸方向移動およびそれらの間の軸１０１周りの相対的な方位角方向移動の両方を妨げるように互いに固定的にスナップフィットされるのが好ましい。代替として、前方ハウジング部１１０および後方ハウジング部１２０は、単一の統合ユニットとして形成されてもよい。図１Ａで、前向き方向は左を向いている。
【００１７】
前方ハウジング部１１０内にセプタムハウジング部１３０が配置され、セプタムハウジング部１３０に、好ましくはセプタムハウジング部１３０の前縁および後縁の超音波カシメによりセプタムハウジング部１３０に保持される前方セプタム１３２および後方セプタム１３４が固定的に取り付けられる。
【００１８】
後方ハウジング部１２０内に、その後ろ向き端部でメスルアーコネクタ部１４２を画定し、その前向き端部で針取付け部１４４を画定するハブ要素１４０が配置される。針取付け部１４４に取り付けられた針１４６は、ポート接続端部１０４でポート接続がない場合は針１４６の尖端１５０が後方セプタム１３４と前方セプタム１３２の間でセプタムハウジング１３０内に位置するように、長手軸１０１に沿って前方ハウジング部１１０内に軸方向前方に延在する。圧縮ばね１５２は、セプタムハウジング１３０を、ハブ要素１４０および針１４６に対して前方に付勢する。圧縮ばね１５２は、ハブ要素１４０の前向き面１５３とセプタムハウジング１３０の後ろ向き面１５４の間に収まる。
【００１９】
本発明の実施形態の特定の特徴は、ここでは軸１０１である軸を画定する、ここではハウジング部１１０および１２０であるハウジングと、ここではハブ要素１４０である内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するためにハウジングに回転可能に取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ここではルアーロックアダプタ１００であるルアーロックアダプタが提供されることである。
【００２０】
図１Ａ〜図２のルアーロックアダプタの形成部である前方ハウジング部１１０の簡略化されたそれぞれ第１の側面図、第２の側面図、ルアー接続端部斜視図および断面図である図３Ａ、３Ｂ、３Ｃおよび３Ｄをここでさらに参照する。
【００２１】
図３Ａ〜３Ｄで把握されるように、前方ハウジング部１１０は、前方円周リム２０２と、一対の逆方向を向いたポートコネクタ係合部２０６が隣接して取り付けられた一対の反対側切り欠き部２０４とを有する概ね円柱状の主部２００を備える。
【００２２】
ポートコネクタ係合部２０６はそれぞれ、格納式ポートコネクタ係合歯２１０に連結するリブ付き指係合面２０８を含むことが好ましい。ポートコネクタ係合部２０６はそれぞれ、対応する切り欠き部２０４にまで及ぶ屈曲性のある取付けアーチ２１２によって主部２００に屈曲可能に取り付けられる。係合面２０８を手で押すことによりポートコネクタ係合歯２１０は格納され、したがって、両方のポートコネクタ係合部２０６の係合面２０８を同時に手で押すとポートコネクタ（図示せず）を円筒主部２００の内部から係合解除することが可能になる。
【００２３】
図３Ｄで明確に把握されるように、主部２００の反対側内部面はそれぞれ、セプタムハウジング１３０の前方ハウジング部１１０に対する前方変位を制限する前方止め画定壁面２１４を有するセプタムハウジングガイド用凹部２１３を画定する。
【００２４】
図３Ｃで特に明確に把握されるように、前方ハウジング部１１０は、通常全部で４個の複数の歯２１６が形成された後ろ向き歯付き縁２１５を含み、該歯はそれぞれ、前向きの視点で、後ろ向き部分円周面２１７、後ろ向きかつ時計回り向きの傾斜面２１８および軸方向に延在している反時計回り向きの係止面２１９を含む。
【００２５】
主部２００の半径方向外方面２２０上で後ろ向き歯付き縁２１５に隣接して、複数の相互に離間している周方向長尺突起２２１が在る。
【００２６】
図３Ｄで把握されるように、好ましくは両側に一対の複数の突起２２２は、ルアーロックアダプタ１００の中空ポート接続端部１０４の内向き周方向壁面２２３の両側に在る。
【００２７】
前方セプタム１３２の簡略化された説明図である図４Ａおよび４Ｂ、ならびにセプタムハウジング部１３０の図の簡略化されたそれぞれ第１の側面図、第２の側面図、端面図および図５Ａの線ＶＤ−ＶＤに沿った断面図である図５Ａ、５Ｂ、５Ｃおよび５Ｄをここでさらに参照する。
【００２８】
図４Ａ〜５Ｄで把握されるように、セプタムハウジング部１３０は、それぞれ前方セプタム１３２および後方セプタム１３４を収容するそれぞれ前方凹部２２６および後方凹部２２７につながる概ね円形のそれぞれ前方開口２２４および後方開口２２５を有する概ね円筒状の要素である。開口針収容チャネル２２８は、前方凹部２２６と後方凹部２２７の間で軸１０１に沿って長手方向に延在する。
【００２９】
図４Ａおよび４Ｂで特に把握されるように、前方セプタム１３２は、好ましくは、ポリイソプレンなどのポリマーで形成された一体形成要素であり、セプタムハウジング部１３０の前方凹部２２６に収まり後方を向いた前方セプタム面２３２を画定することが好ましい相対的に太い後方円筒部２３０、および後方円筒部２３０の前方に延在し、好ましくはセプタムハウジング部１３０の前方開口２２４を通ってその前方に延在し、前方を向いた前方セプタム面２３６を画定する相対的に細い円筒部２３４を含む。後方セプタム１３４は、好ましくは、ポリイソプレンなどのポリマーで形成された一体形成要素であり、円盤状の扁平円筒構成を有し、セプタムハウジング部１３０の後方凹部２２７に収まる。
【００３０】
ここで具体的に、セプタムハウジング部１３０を示す図５Ａ〜５Ｄに戻ると、セプタムハウジング部１３０は、半径方向外方に突出する周方向帯２４０が形成された概ね円筒状の外面２３８を有することが把握される。一対の細い突起２４２は、セプタムハウジングガイド用凹部２１３および前方止め画定壁面２１４と係合し、したがって前方ハウジング部１１０内でのセプタムハウジング部１３０の前方変位を制限し、セプタムハウジング部１３０の軸１０１周りの方位角方向の回転を妨げるために、セプタムハウジング部１３０の周方向帯２４０から半径方向外方に延在する。
【００３１】
ハブ要素１４０の図の簡略化されたそれぞれ第１の側面図、第２の側面図、第１の斜視端面図、第２の斜視端面図および図６Ｃの線ＶＩＥ−ＶＩＥに沿った断面図である図６Ａ、図６Ｂ、図６Ｃ、図６Ｄおよび図６Ｅをここで参照する。本明細書中で上述したように、ハブ要素１４０は、後ろ向き端部でメスルアーコネクタ部１４２を、前向き端部で針取付け部１４４を画定する。
【００３２】
メスルアーコネクタ部１４２と針取付け部１４４の中間に、２重歯付き周方向中間部２５０が配置される。歯付き周方向中間部２５０は、外向き円柱面部２５２を含むことが好ましい。
【００３３】
外向き円柱面部２５２の前方に、通常全部で４個の複数の歯２５８が形成された前向き歯付き縁２５６を有する前向き歯付き部２５４があり、該歯はそれぞれ、前向きの視点で、前向きかつ時計回り向きの傾斜面２６０および軸方向に延在している時計回り向きの係止面２６２を含む。
【００３４】
歯２５８の構成は、シリンジまたは他の要素（図示せず）のオスルアーコネクタが、前向きの視点で、時計回りの回転方向でメスルアーコネクタ部１４２にねじ込まれたとき、シリンジを前述の時計回り方向に回転させることを続けると、ハブ要素１４０の前述の時計回り方向の対応する回転が生じ、時計回り向きの軸方向かつ半径方向を向いた係止面２６２が、前方ハウジング部１１０の後ろ向き歯付き縁２１５の歯２１６の対応する反時計回り向きの軸方向かつ半径方向を向いた係止面２１９に係止係合するようなものである。前述の時計回りの回転方向は、図６Ａ〜６Ｅでは矢印２７０で示される。
【００３５】
外向き円柱面部２５２の後方に、通常全部で４個の複数の歯２７８が形成された後ろ向き歯付き面２７６を有する後ろ向き歯付き部２７４があり、該歯はそれぞれ、後ろ向きかつ時計回り向きの傾斜面２８０および時計回り向きの軸方向かつ半径方向を向いた係止面２８２を含む。
【００３６】
後方ハウジング部１２０の簡略化された第１の斜視端面図、第２の斜視端面図および断面図である図７Ａ、７Ｂおよび７Ｃをここでさらに参照する。
【００３７】
図２および７Ａ〜７Ｃで把握されるように、後方ハウジング部１２０は、軸１０１に沿って配置され前方端部３００、後方端部３０２および円柱外向き面３０４を有する全体的に円柱状の要素であることが好ましい。前方ハウジング部１１０の対応する突起２２１をスナップフィット係合で受け、それによって前方ハウジング部１１０と後方ハウジング部１２０の間に軸方向の係止および方位角方向の係止の両方を提供する複数の方位角方向に相互に離間している周方向凹部３０８が内向き面３０６に形成される。
【００３８】
前向き面３２２および後ろ向き面３２４を有する内方を向いたフランジ３２０は、前方端部３００と後方端部３０２の中間にあり、内向き面３０６の半径方向内方に延在する。前向き面３２２は、好ましくは全部で４個以上の歯付き凹部３３０の方位角方向配列とともに形成されることが好ましく、該凹部はそれぞれ、前向きかつ時計回り向きの傾斜面３３２および軸方向を向いた反時計回り向きの係止面３３４を含む。
【００３９】
前方ハウジング部１１０と後方ハウジング部１２０の間の前述の軸方向のかつ方位角方向の係止により、ハブ要素１４０は、後方ハウジング部１２０の前向き面３２２と圧縮ばね１５２の間に保持され、このことにより、ハブ要素１４０は前向き面３２２に付勢され、したがって、ハブ要素１４０の歯２７８は、凹部３３０に係止係合し、歯２７８の時計回り向きの軸方向かつ半径方向を向いた係止面２８２は、軸方向を向いた反時計回り向きの係止面３３４に係止係合し、それによって、ハブ要素１４０の後方ハウジング部１２０に対する前向きの視点で、反時計回りの回転を可能にするが、ハブ要素１４０の後方ハウジング部１２０に対する前向きの視点で、時計回りの回転を妨げるようにする。
【００４０】
歯２７８の構成は、シリンジまたは他の要素（図示せず）のオスルアーコネクタが、矢印３４０で示す軸１０１に沿って前方を向いた軸力を加えることなしに、矢印２７０で示す時計回りの回転方向でメスルアーコネクタ部１４２にねじ込まれたとき、シリンジを前述の時計回り方向に回転させることを続けると、矢印２７０で示すハブ要素１４０の前述の時計回りの方向の対応する回転は生じず、シリンジのハブ１４０との密な係合を可能にするようなものである。この構成はまた、ユーザが、矢印３４２（図８Ａ〜８Ｄ）で示す反時計回りの方向にオスルアーコネクタを回転させることによってオスルアーコネクタを外そうと試みたとき、ハブ１４０はシリンジと一緒に軸１０１周りを回転し、それによってシリンジのハブ１４０からの係合解除を妨げるようなものでもある。
【００４１】
図１Ａ〜７Ｃのルアーロックアダプタの、従来のルアーロックシリンジに対するそれぞれ第１の動作方位、第２の動作方位、第３の動作方位、第４の動作方位、第５の動作方位、第６の動作方位および第７の動作方位における簡略化された図である図８Ａ、８Ｂ、８Ｃ、８Ｄ、８Ｅ、８Ｆおよび８Ｇをここで参照する。
【００４２】
図８Ａは、図１Ａ〜７Ｃのルアーロックアダプタ１００に接続されようとするオスルアーコネクタ４０２を有する従来のルアーロックシリンジ４００を示す。ルアーロックシリンジ４００がルアーロックアダプタ１００へ係合される前、圧縮ばね１５２の圧縮作用は、ハブ要素１４０を後方ハウジング部１２０のフランジ３２０の前向き面３２２に付勢し、したがって、ハブ要素１４０の歯２７８は、凹部３３０に係止係合し、歯２７８の時計回り向きの軸方向かつ半径方向を向いた係止面２８２は、軸方向を向いた反時計回り向きの係止面３３４に係止係合し、それによって、矢印３４２で表されるハブ要素１４０の後方ハウジング部１２０に対する前向きの視点で、反時計回りの回転は可能になるが、矢印２７０で表されるハブ要素１４０の後方ハウジング部１２０に対する前向きの視点で、時計回りの回転は妨げられる。前方ハウジング部１１０の後ろ向き歯付き縁２１５とハブ要素１４０の前向き歯付き縁２５６の間の文字Ａで示される通常約１．８ｍｍである軸方向間隔は、通常約０．７ｍｍである軸方向に延在している時計回り向きの係止面２６２の軸方向の大きさより大きく、したがって、ハブ要素１４０と前方ハウジング部１１０のいずれの回転方向においても相互回転が制限されないことに留意されたい。矢印２７０で示すハブ要素１４０の前方ハウジング部１１０に対する時計回り方向の回転はそれでも、後方ハウジング部１２０が前方ハウジング部１１０に固定されているということにより妨げられることが理解される。
【００４３】
後方ハウジング部１２０の前向き面３２２とハブ要素１４０の２７６の後ろ向き歯付き面の間の軸方向間隔は文字Ｂで示されることにさらに留意されたい。図８Ａに示された方位では、圧縮ばね１５２の圧縮作用は、ハブ要素１４０を、軸方向間隔Ｂがゼロになるように、後方ハウジング部１２０のフランジ３２０の前向き面３２２に付勢する。
【００４４】
文字Ｃで示される後方ハウジング部１２０の前向き面３２２と前方ハウジング部１１０の後ろ向き歯付き縁２１５の間の軸方向間隔は、本明細書中で上述したように、前方ハウジング部１１０と後方ハウジング部１２０のスナップフィット係合により通常約５．４ｍｍと一定を保ち、前方ハウジング部１１０と後方ハウジング部１２０の間に軸方向のかつ方位角方向の係止を提供することが理解される。さらに、軸方向間隔Ａと軸方向間隔Ｂの合計は、本明細書中で上述したように、前方ハウジング部１１０と後方ハウジング部１２０のスナップフィット係合により一定を保ち、前方ハウジング部１１０と後方ハウジング部１２０の間に軸方向のかつ方位角方向の係止を提供する。
【００４５】
図８Ｂは、オスルアーコネクタ４０２がメスルアーコネクタ部１４２とその後ろ向き端部で接触係合するような、矢印４１０で示すようなシリンジ４００のルアーロックアダプタ１００に対する軸１０１に沿った初期前方軸方向変位を示す。後方ハウジング部１２０とハブ要素１４０の歯２７８の係止係合は、図８Ａを参照して本明細書中で上述されたものと変わらない。後ろ向き歯付き縁２１５と前向き歯付き縁２５６の間の軸方向間隔Ａおよび後方ハウジング部１２０の前向き面３２２とハブ要素１４０の２７６の後ろ向き歯付き面の間の軸方向間隔Ｂは、図８Ａを参照して本明細書中で上述されたものと変わらないことに留意されたい。
【００４６】
図８Ｃは、オスルアーコネクタ４０２がハブ要素１４０のメスルアーコネクタ部１４２と完全螺合摩擦係合するような、シリンジ４００のルアーロックアダプタ１００に対する軸１０１周りの時計回りの回転を示す。この回転は、軸１０１に沿ったさらなる前方軸力を加えることなしに行われる。この完全螺合係合は、後方ハウジング部１２０に対する時計回りの回転に対して、ハブ要素１４０の回転の上記係止をすることによって可能になる。後ろ向き歯付き縁２１５と前向き歯付き縁２５６の間の軸方向間隔Ａおよび後方ハウジング部１２０の前向き面３２２とハブ要素１４０の２７６の後ろ向き歯付き面の間の軸方向間隔Ｂは、図８Ａおよび８Ｂを参照して本明細書中で上述されたものと変わらないことに留意されたい。
【００４７】
図８Ｄは、オスルアーコネクタ４０２をハブ要素１４０のメスルアーコネクタ部１４２から係合解除しようとする試みにおいて、シリンジ４００の、ルアーロックアダプタ１００の後方ハウジング部１２０に対する軸１０１周りの反時計回りの回転を示す。この試みは、オスルアーコネクタ４０２とハブ要素１４０のメスルアーコネクタ部１４２の摩擦係合により、かつ、後ろ向き歯付き縁２１５と前向き歯付き縁２５６の間の通常約１．０ｍｍである軸方向間隔Ａは、軸方向に延在している時計周り向きの係止面２６２の通常約０．７ｍｍである軸方向の大きさより大きく、したがって、ハブ要素１４０と前方ハウジング部１１０の反時計周り方向の相互回転は制限されないので、ハブ要素１４０はルアーロックアダプタ１００の残りの部分に対して反時計回りに回転自在であることにより、成功しない。図８Ｄの軸方向間隔Ａは、図８Ａ〜８Ｃの軸方向間隔Ａより小さいが、それでも、軸方向に延在している時計周り向きの係止面２６２の軸方向の大きさより大きいことが理解される。
【００４８】
後方ハウジング部１２０に対するハブ要素１４０の反時計回りの回転により、通常０〜０．８ｍｍの間で変化する、後方ハウジング部１２０の前向き面３２２とハブ要素１４０の２７６の後ろ向き歯付き面の軸方向間隔Ｂは、図８Ａ〜８Ｃに示す軸方向間隔Ａから図８Ｄに示す軸方向Ａへの減少に対応して、図８Ａ〜８Ｃに示す軸方向間隔Ｂから通常約０．８ｍｍに増加していることも理解される。
【００４９】
図８Ｅおよび８Ｆは、図８Ｃに示された段階の代替を示す。図８Ｅは、オスルアーコネクタ４０２がハブ要素１４０のメスルアーコネクタ部１４２と完全螺合摩擦係合するような、矢印２７０で示すようなシリンジ４００のルアーロックアダプタ１００に対する軸１０１周りの時計回りの回転を示す。図８Ｃと区別して、ここでこの回転は、矢印３４０で示すような軸１０１に沿ったさらなる前方軸力を加えて行われる。
【００５０】
この前方軸力により、後ろ向き歯付き縁２１５と前向き歯付き縁２５６の間の軸方向間隔Ａは、軸方向に延在している時計周り向きの通常約０．７ｍｍである係止面２６２の軸方向の大きさより小さくなり、したがって、ハブ要素１４０の前方ハウジング部１１０に対する時計回りの回転が制限される。
【００５１】
図８Ｅは、矢印２７０および３４０で示すようなシリンジ４００の時計回りの回転と軸力の供給との組み合わせによる、オスルアーコネクタ４０２とメスルアーコネクタ部１４２の部分的な螺合摩擦係合を示す。図８Ｅに示す段階で、通常約０．３ｍｍの軸方向間隔Ａは、通常約１．５ｍｍの軸方向Ｂより小さいことが理解される。
【００５２】
図８Ｆは、矢印２７０および３４０で示すようなシリンジ４００のさらなる時計回りの回転と軸力の供給との組み合わせによる、オスルアーコネクタ４０２とメスルアーコネクタ部１４２の完全螺合摩擦係合を示す。図８Ｆに示す段階で、軸方向間隔Ａは通常０ｍｍであり、軸方向間隔Ｂは通常約１．８ｍｍであることが理解される。
【００５３】
図８Ｇは、オスルアーコネクタ４０２をハブ要素１４０のメスルアーコネクタ部１４２から係合解除しようとする試みにおいて、矢印３４２および３４０で示すようなシリンジ４００の、ルアーロックアダプタ１００の後方ハウジング部１２０に対する軸１０１周りの反時計周りの回転と軸力の供給との組み合わせを示す。この試みは、オスルアーコネクタ４０２とハブ要素１４０のメスルアーコネクタ部１４２の摩擦係合により、かつ、通常全部で４個の複数の歯２５８が形成されたハブ要素１４０の前向き歯付き縁２５６であって、該歯はそれぞれ前方ハウジング部１１０に対する反時計回りの回転において前向きかつ時計回り向きの傾斜面２６０を含むものである該歯付き縁２５６が、通常全部で４個の複数の歯２１６が形成された後ろ向き歯付き縁２１５であって、該歯がそれぞれ後ろ向きの部分円周面２１７および後ろ向きかつ時計回り向きの傾斜面２１８を含むものである該歯付き縁２１５上を摺動し、したがって、ハブ要素１４０の前方ハウジング部１１０に対する反時計回り方向の回転は制限されないので、ハブ要素１４０はルアーロックアダプタ１００の残りの部分に対して反時計回りに回転自在であることにより、成功しない。
【００５４】
ハブ要素１４０の後方ハウジング部１２０に対する反時計回りの回転により、後方ハウジング部１２０の前向き面３２２とハブ要素１４０の２７６の後ろ向き歯付き面の間の軸方向間隔Ｂは、通常１．１〜１．８ｍｍの間で変化することも理解される。
【００５５】
図１Ａ〜７Ｃのルアーロックアダプタの、従来のルアーロックコネクタに対するそれぞれ第１の動作方位、第２の動作方位、第３の動作方位、第４の動作方位、第５の動作方位、第６の動作方位および第７の動作方位における簡略化された図である図９Ａ、９Ｂ、９Ｃ、９Ｄ、９Ｅ、９Ｆおよび９Ｇをここで参照する。
【００５６】
図９Ａは、図１Ａ〜７Ｃのルアーロックアダプタ１００に接続されようとするオスルアーコネクタ４２２を有する従来のルアーロックコネクタ４２０を示す。ルアーロックコネクタ４２０がルアーロックアダプタ１００へ係合される前、圧縮ばね１５２の圧縮作用は、ハブ要素１４０を後方ハウジング部１２０のフランジ３２０の前向き面３２２に付勢し、したがって、ハブ要素１４０の歯２７８は凹部３３０に係止係合し、歯２７８の時計回り向きの軸方向かつ半径方向を向いた係止面２８２は、軸方向を向いた反時計周り向きの係止面３３４に係止係合し、それによって、矢印３４２で表されるハブ要素１４０の後方ハウジング部１２０に対する前向きの視点で、反時計回りの回転は可能になるが、矢印２７０で表されるハブ要素１４０の後方ハウジング部１２０に対する前向きの視点で、時計回りの回転は妨げられる。前方ハウジング部１１０の後ろ向き歯付き縁２１５とハブ要素１４０の前向き歯付き縁２５６の間の文字Ａで示される通常約１．８ｍｍである軸方向間隔は、軸方向に延在している時計回り向きの係止面２６２の通常約０．７ｍｍである軸方向の大きさより大きく、したがって、ハブ要素１４０と前方ハウジング部１１０のいずれの回転方向においても相互回転が制限されないことに留意されたい。矢印２７０で示すハブ要素１４０の前方ハウジング部１１０に対する時計回りの方向の回転は、それでも、後方ハウジング部１２０が前方ハウジング部１１０に固定されていることにより妨げられることが理解される。
【００５７】
後方ハウジング部１２０の前向き面３２２とハブ要素１４０の２７６の後ろ向き歯付き面の間の軸方向間隔は文字Ｂで示されることにさらに留意されたい。図８Ａに示された方位では、圧縮ばね１５２の圧縮作用は、ハブ要素１４０を、軸方向間隔Ｂがゼロになるように、後方ハウジング部１２０のフランジ３２０の前向き面３２２に付勢する。
【００５８】
文字Ｃで示される後方ハウジング部１２０の前向き面３２２と前方ハウジング部１１０の後ろ向き歯付き縁２１５の間の軸方向間隔は、本明細書中で上述したように、前方ハウジング部１１０と後方ハウジング部１２０のスナップフィット係合により通常約５．４ｍｍと一定を保ち、前方ハウジング部１１０と後方ハウジング部１２０の間に軸方向のかつ方位角方向の係止を提供することが理解される。さらに、軸方向間隔Ａと軸方向間隔Ｂの合計は、本明細書中で上述したように、前方ハウジング部１１０と後方ハウジング部１２０のスナップフィット係合により一定を保ち、前方ハウジング部１１０と後方ハウジング部１２０の間に軸方向のかつ方位角方向の係止を提供する。
【００５９】
図９Ｂは、オスルアーコネクタ４２２がメスルアーコネクタ部１４２とその後ろ向き端部で接触係合するような、矢印４３０で示すようなルアーロックコネクタ４２０のルアーロックアダプタ１００に対する軸１０１に沿った初期前方軸方向変位を示す。後方ハウジング部１２０とハブ要素１４０の歯２７８の係止係合は、図９Ａを参照して本明細書中で上述されたものと変わらない。後ろ向き歯付き縁２１５と前向き歯付き縁２５６の間の軸方向間隔Ａおよび後方ハウジング部１２０の前向き面３２２とハブ要素１４０の２７６の後ろ向き歯付き面の間の軸方向間隔Ｂは、図９Ａを参照して本明細書中で上述されたものと変わらないことに留意されたい。
【００６０】
図９Ｃは、オスルアーコネクタ４２２がハブ要素１４０のメスルアーコネクタ部１４２と完全螺合摩擦係合するような、ルアーロックコネクタ４２０のルアーロックアダプタ１００に対する軸１０１周りの時計回りの回転を示す。この回転は、軸１０１に沿ったさらなる前方軸力を加えることなしに行われる。この完全螺合係合は、後方ハウジング部１２０に対する時計回りの回転に対して、ハブ要素１４０の回転の上記係止をすることによって可能になる。後ろ向き歯付き縁２１５と前向き歯付き縁２５６の間の軸方向間隔Ａおよび後方ハウジング部１２０の前向き面３２２とハブ要素１４０の２７６の後ろ向き歯付き面の間の軸方向間隔Ｂは、図９Ａおよび９Ｂを参照して本明細書中で上述されたものと変わらないことに留意されたい。
【００６１】
図９Ｄは、オスルアーコネクタ４２２をハブ要素１４０のメスルアーコネクタ部１４２から係合解除しようとする試みにおいて、ルアーロックコネクタ４２０の、ルアーロックアダプタ１００の後方ハウジング部１２０に対する軸１０１周りの反時計回りの回転を示す。この試みは、オスルアーコネクタ４２２とハブ要素１４０のメスルアーコネクタ部１４２の摩擦係合により、かつ、後ろ向き歯付き縁２１５と前向き歯付き縁２５６の間の通常約１．０ｍｍである軸方向間隔Ａが、軸方向に延在している時計周り向きの係止面２６２の通常約０．７ｍｍである軸方向の大きさより大きく、したがって、ハブ要素１４０と前方ハウジング部１１０の反時計周り方向の相互回転は制限されないので、ハブ要素１４０はルアーロックアダプタ１００の残りの部分に対して反時計回りに回転自在であることにより、成功しない。図９Ｄの軸方向間隔ａは図９Ａ〜９Ｃの軸方向間隔Ａより小さいが、それでも、軸方向に延在している時計周り向きの係止面２６２の軸方向の大きさより大きいことが理解される。
【００６２】
ハブ要素１４０の後方ハウジング部１２０に対する反時計回りの回転により、通常０〜０．８ｍｍの間で変化する、後方ハウジング部１２０の前向き面３２２とハブ要素１４０の２７６の後ろ向き歯付き面の間の軸方向間隔Ｂは、図９Ａ〜９Ｃに示す軸方向間隔Ａから図９Ｄに示す軸方向Ａへの減少に対応して、図９Ａ〜９Ｃに示す軸方向間隔Ｂから通常約０．８ｍｍに増加していることも理解される。
【００６３】
図９Ｅおよび９Ｆは、図９Ｃに示された段階の代替を示す。図９Ｅは、オスルアーコネクタ４２２がハブ要素１０４のメスルアーコネクタ部１４２と完全螺合摩擦係合するような、矢印２７０によって示すようなルアーロックコネクタ４２０のルアーロックアダプタ１００に対する軸１０１周りの時計回りの回転を示す。図９Ｃと区別して、ここでこの回転は、矢印３４０によって示すような軸１０１に沿ったさらなる前方軸力を加えて行われる。
【００６４】
この前方軸力により、後ろ向き歯付き縁２１５と前向き歯付き縁２５６の間の軸方向間隔Ａは、軸方向に延在している時計周り向きの係止面２６２の通常約０．７ｍｍである軸方向の大きさより小さくなり、したがって、ハブ要素１４０の前方ハウジング部１１０に対する時計回りの回転は制限される。
【００６５】
図９Ｅは、矢印２７０および３４０で示すようなルアーロックコネクタ４２０の時計回りの回転と軸力の供給の組み合わせによる、オスルアーコネクタ４２２とメスルアーコネクタ部１４２の部分的な螺合摩擦係合を示す。図９Ｅに示す段階で、通常約０．３ｍｍの軸方向間隔Ａは、通常約１．５ｍｍの軸方向Ｂより小さいことが理解される。
【００６６】
図９Ｆは、矢印２７０および３４０で示すようなルアーロックコネクタ４２０のさらなる時計回りの回転と軸力の供給の組み合わせによる、オスルアーコネクタ４２２とメスルアーコネクタ部１４２の完全螺合摩擦係合を示す。図９Ｆに示す段階で、軸方向間隔Ａは通常０ｍｍであり、軸方向Ｂは通常約１．８ｍｍであることが理解される。
【００６７】
図９Ｇは、オスルアーコネクタ４２２をハブ要素１４０のメスルアーコネクタ部１４２から係合解除しようとする試みにおいて、矢印３４２および３４０で示すような、ルアーロックコネクタ４２０の、ルアーロックアダプタ１００の後方ハウジング部１２０に対する軸１０１周りの反時計周りの回転と軸力の供給の組み合わせを示す。この試みは、オスルアーコネクタ４２２とハブ要素１４０のメスルアーコネクタ部１４２の摩擦係合により、かつ、通常全部で４個の複数の歯２５８が形成されたハブ要素１４０の前向き歯付き縁２５６であって、該歯はそれぞれ前方ハウジング部１１０に対する反時計回りの回転において前向きかつ時計回り向きの傾斜面２６０を含むものである該歯付き縁２５６が、通常全部で４個の複数の歯２１６が形成された後ろ向き歯付き縁２１５であって、該歯はそれぞれ後ろ向きの部分円周面２１７および後ろ向きかつ時計回り向きの傾斜面２１８を含むものである該歯付き縁２１５上を摺動し、したがって、ハブ要素１４０の前方ハウジング部１１０に対する反時計回りの方向の回転は制限されないので、ハブ要素１４０はルアーロックアダプタ１００の残りの部分に対して反時計回りに回転自在であることにより、成功しない。
【００６８】
ハブ要素１４０の後方ハウジング部１２０に対する反時計回りの回転により、後方ハウジング部１２０の前向き面３２２とハブ要素１４０の２７６の後ろ向き歯付き面の間の軸方向間隔Ｂは、通常１．１〜１．８ｍｍの間で変化することも理解される。
【００６９】
本発明の別の好ましい実施形態により構成され動作するルアーロックアダプタの簡略化されたそれぞれ第１の側面図、第２の側面図、斜視図、第１の端面部、第２の端面図および図１０Ｅの線ＸＦ−ＸＦに沿った断面図である図１０Ａ、１０Ｂ、１０Ｃ、１０Ｄ、１０Ｅおよび１０Ｆ、ならびに図１０Ａ〜１０Ｆのルアーロックアダプタの簡略化された分解図である図１１をここで参照する。
【００７０】
図１０Ａ〜１０Ｆおよび１１で把握されるように、長手軸５０１に概ね沿って延在しルアー接続端部５０２およびポート接続端部５０４を有するルアーロックアダプタ５００が提供される。ルアーロックアダプタ５００は、前方ハウジング部５１０および後方ハウジング部５２０を含むことが好ましく、それらは相対的な軸方向移動およびそれらの間の軸５０１周りの相対的な方位角方向移動の両方を妨げるように互いに固定的にスナップフィットされるのが好ましい。代替として、前方ハウジング部５１０および後方ハウジング部５２０は、単一の統合ユニットとして形成されてもよい。図１０Ａで、前向き方向は左を向いている。
【００７１】
前方ハウジング部５１０内に、前方セプタム５３２および後方セプタム５３４を含むセプタムハウジング組立体５３０が配置され、前方セプタム５３２および後方セプタム５３４は、好ましくはセプタム取付け部５３６の前縁および後縁の超音波カシメによりセプタム取付け部５３６に固定的かつ封止的に保持される。セプタムハウジング組立体５３０は、それぞれが前方係合部５３９を含む複数のセプタムハウジング取付け脚部５３８を含むことが好ましく、該セプタムハウジング取付け脚部５３８は通常、セプタム取付け部５３６にスナップ取付けされる。
【００７２】
後方ハウジング部５２０内に、その後ろ向き端部でメスルアーコネクタ部５４２を、その前向き端部で針取付け部５４４を画定するハブ要素５４０が配置される。針取付け部５４４に取り付けられた針５４６は、ポート接続端部５０４でポート接続がない場合は針５４６の尖端５５０が後方セプタム５３４と前方セプタム５３２の間でセプタムハウジング５３０内に位置するように、長手軸５０１に沿って前方ハウジング部５１０内に軸方向前方に延在する。図１Ａ〜９Ｇの実施形態とは異なり、圧縮ばねは提供されておらず、セプタムハウジング５３０は、セプタムハウジング取付け脚部５３８を介して前方ハウジング部５１０に軸方向に摺動可能に取り付けられる。
【００７３】
本発明の実施形態の特定の特徴は、ここでは軸５０１である軸を画定する、ここではハウジング部５１０および５２０であるハウジングと、ここではハブ要素５４０である内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するためにハウジングに回転可能に取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ここではルアーロックアダプタ５００であるルアーロックアダプタが提供されることである。
【００７４】
図１０Ａ〜１１のルアーロックアダプタの前方ハウジング部の形成部の簡略化されたそれぞれ第１の側面図、第２の側面図、ルアー接続端部の斜視図、ならびに図１２Ｃのそれぞれの線ＸＩＩＤ−ＸＩＩＤ、ＸＩＩＥ−ＸＩＩＥおよびＸＩＩＦ−ＸＩＩＦに沿った断面図である図１２Ａ、図１２Ｂ、図１２Ｃ、図１２Ｄ、図１２Ｅおよび図１２Ｆをここでさらに参照する。
【００７５】
図１２Ａ〜１２Ｆで把握されるように、前方ハウジング部５１０は、前方円周リム６０２と、一対の逆方向を向いたポートコネクタ係合部６０６が隣接して取り付けられた一対の反対側切り欠き部６０４とを有する概ね円柱状の主部６００を備える。
【００７６】
ポートコネクタ係合部６０６はそれぞれ、格納式ポートコネクタ係合歯６１０に連結するリブ付き指係合面６０８を含むことが好ましい。ポートコネクタ係合部６０６はそれぞれ、対応する切り欠き部６０４にまで及ぶ屈曲性のある取付けアーチ６１２によって主部６００に屈曲可能に取り付けられる。係合面６０８を手で押すことによりポートコネクタ係合歯６１０は格納され、したがって、両方のポートコネクタ係合部６０６の係合面６０８を同時に手で押すとポートコネクタ（図示せず）を円筒主部６００の内部から係合解除することが可能になる。
【００７７】
図１２Ｄで明確に把握されるように、主部６００の反対側内部面はそれぞれ、セプタムハウジング５３０の前方ハウジング部５１０に対する前方変位を制限する前方止め画定壁面６１４を有するセプタムハウジングガイド用凹部６１３を画定する。
【００７８】
図１２Ｃで特に明確に把握されるように、前方ハウジング部５１０は、通常全部で４個の複数の歯６１６が形成された後ろ向き歯付き縁６１５を含み、該歯はそれぞれ、前向きの視点で、後ろ向きの部分円周面６１７、後ろ向きかつ時計回り向きの傾斜面６１８および軸方向に延在している反時計回り向きの係止面６１９を含む。
【００７９】
主部６００の半径方向外方面６２０上で後ろ向き歯付き縁６１５に隣接して、複数の相互に離間している周方向長尺突起６２１が在る。
【００８０】
図１２Ｄ〜１２Ｆで把握されるように、前方ハウジング部５１０の内向き周方向壁面６２３の前方に、複数の凹部６２４が提供され、複数の凹部６２４はそれぞれ、内向き周方向壁面６２３に対して半径方向外方に配置されかつその前方に在る内向き壁面を有する。凹部６２４は、先細の肩部６２６によって内向き周方向壁面６２３からそれぞれ分離される。
【００８１】
セプタムハウジング取付け脚部５３８の前方係合部５３９は、ポート接続端部５０４が例えばバイアルアダプタなどのポートアダプタによって係合されないとき、対応する凹部６２４に収まることが理解される。ポートアダプタとポート接続端部５０４が係合すると、通常、前方係合部５３９は、凹部６２４の外へ半径方向内方かつ後方に、それぞれの先細の肩部６２６を超えて押し進められ、内向き周方向壁面６２３と係合される。
【００８２】
図１０Ａ〜１１のルアーロックアダプタのセプタムハウジング組立体の形成部の簡略化されたそれぞれ後ろ向き斜視図、前向き斜視図、側面図、前向き端面図、および図１３Ａの線ＸＩＩＩＥ−ＸＩＩＩＥに沿った断面図である図１３Ａ、１３Ｂ、１３Ｃ、１３Ｄおよび１３Ｅをここで参照する。
【００８３】
上述のように、セプタムハウジング組立体５３０は、好ましくはセプタム取付け部５３６の前縁および後縁の超音波カシメによりセプタム取付け部５３６に固定的にかつ封止的に保持される前方セプタム５３２および後方セプタム５３４を含む。セプタムハウジング組立体５３０は、それぞれが前方係合部５３９を含む複数のセプタムハウジング取付け脚部５３８を含むことが好ましく、該セプタムハウジング取付け脚部５３８は通常、セプタム取付け部５３６にスナップ取付けされる。
【００８４】
図１３Ａ〜１３Ｅで把握されるように、セプタムハウジング組立体５３０は、それぞれ前方セプタム５３２および後方セプタム５３４を収容するそれぞれ前方凹部６２９および後方凹部６３０につながる概ね円形のそれぞれ前方開口６２７および後方開口６２８を有する概ね円筒状の要素である。開口針収容チャネル６４０は、前方凹部６２９と後方凹部６３０の間で軸５０１に沿って長手方向に延在する。
【００８５】
図１３Ａ〜１３Ｅで特に把握されるように、前方セプタム５３２は、好ましくは、ポリイソプレンなどのポリマーで形成された一体形成要素であり、セプタム取付け部５３６の前方凹部６２９に収まり後方を向いた前方セプタム面６４２を画定することが好ましい相対的に太い後方円筒部６４１、および後方円筒部６４１の前方に延在し、好ましくはセプタムハウジング組立体５３０の前方開口６２７を通ってその前方に延在し前方を向いた前方セプタム面６４６を画定する相対的に細い円筒部６４４を含む。後方セプタム５３４は、好ましくは、ポリイソプレンなどのポリマーで形成された一体形成要素であり、円盤状の扁平円筒構成を有し、セプタムハウジング組立体５３０の後方凹部６３０に収まる。
【００８６】
セプタム取付け部５３６は、セプタムハウジング取付け脚部５３８がそこから前方に延在する半径方向外方に突出する周方向帯６４８がスナップ取付けされたまたは固定された概ね円筒状の外面６４７を有することが把握される。一対の細い突起６４９は、セプタムハウジングガイド用凹部６１３および前方止め画定壁面６１４と係合し、したがって、セプタムハウジング組立体５３０の前方ハウジング部５１０内の前方変位を制限し、セプタムハウジング部５３０の軸５０１周りの方位角方向の回転を妨げるために、周方向帯６４８から半径方向外方に延在する。
【００８７】
図１０Ａ〜１１のルアーロックアダプタのハブ要素５４０の形成部の簡略されたそれぞれ第１の側面図、第２の側面図、第１の斜視端面図、第２の斜視端面図、および図１４Ｃの線ＸＩＶＥ−ＸＩＶＥに沿った断面図である図１４Ａ、１４Ｂ、１４Ｃ、１４Ｄおよび１４Ｅをここで参照する。本明細書中で上述したように、ハブ要素５４０は、後ろ向き端部でメスルアーコネクタ部５４２を、前向き端部で針取付け部５４４を画定する。
【００８８】
メスルアーコネクタ部５４２および針取付け部５４４の中間に、２重歯付き周方向中間部６５０が配置される。歯付き周方向中間部６５０は、外向き円柱面部６５２を含むことが好ましい。
【００８９】
外向き円柱面部６５２の前方に、通常全部で４個の複数の歯６５８が形成された前向き歯付き縁６５６を有する前向き歯付き部６５４があり、該歯はそれぞれ、前向きの視点で、前向きかつ時計回り向きの傾斜面６６０および軸方向に延在している時計回り向きの係止面６６２を含む。
【００９０】
歯６５８の構成は、シリンジまたは他の要素（図示せず）のオスルアーコネクタが前向きの視点で、時計回りの回転方向でメスルアーコネクタ部５４２にねじ込まれたとき、シリンジを前述の時計回り方向に回転させることを続けると、ハブ要素５４０の前述の時計回りの方向の対応する回転が生じ、時計回り向きの軸方向かつ半径方向を向いた係止面６６２は、前方ハウジング部５１０の後ろ向き歯付き縁６１５の歯６１６の対応する反時計回り向きの軸方向かつ半径方向を向いた係止面６１９に係止係合するようなものである。前述の時計回りの回転方向は、図１４Ａ〜１４Ｅにおいて矢印６７０で示される。
【００９１】
外向き円柱面部６５２の後方に、通常全部で４個の複数の歯６７８が形成された後ろ向き歯付き面６７６を有する後ろ向き歯付き部６７４があり、該歯はそれぞれ、後ろ向きかつ時計回り向きの傾斜面６８０および時計回り向きの軸方向かつ半径方向を向いた係止面６８２を含む。
【００９２】
後方ハウジング部５２０の簡略化された第１の斜視端面図、第２の斜視端面図および断面図である図１５Ａ、１５Ｂおよび１５Ｃをここでさらに参照する。
【００９３】
図１１および１５Ａ〜１５Ｃで把握されるように、後方ハウジング部５２０は、軸５０１に沿って配置され、前方端部７００、後方端部７０２および円柱外向き面７０４を有する全体的に円柱状の要素であることが好ましい。前方ハウジング部５１０の対応する突起６２１をスナップフィット係合で受け、それにより前方ハウジング部５１０と後方ハウジング部５２０の間に軸方向の係止および方位角方向の係止の両方を提供する複数の方位角方向に相互に離間している周方向凹部７０８が内向き面７０６に形成される。
【００９４】
前向き面７２２および後ろ向き面７２４を有する内方を向いたフランジ７２０は、前方端部７００と後方端部７０２の中 間にあり、内向き面７０６の半径方向内方に延在する。前向き面７２２は、好ましくは全部で４個以上の歯付き凹部７３０の方位角方向配列とともに形成されることが好ましく、該凹部はそれぞれ、前向きかつ時計回り向きの傾斜面７３２および軸方向を向いた反時計回り向きの係止面７３４を含む。
【００９５】
歯６５８の構成は、シリンジまたは他の要素（図示せず）のオスルアーコネクタが矢印６７０で示される時計回りの回転方向でメスルアーコネクタ部５４２にねじ込まれ、矢印７４０で示される軸５０１に沿った前方を向いた軸力が加えられたとき、シリンジを前述の時計回り方向に回転させることを続けると、矢印６７０で示すハブ要素５４０の前述の時計回り方向の対応する回転は生じず、シリンジとハブ５４０の密な係合が可能になるようなものである。この構成はまた、ユーザが、オスルアーコネクタを矢印７４２（図１６Ａ〜１６Ｄ）で示すような反時計回り方向に回転させることによりオスルアーコネクタを外そうと試みたとき、ハブ５４０はシリンジと一緒に軸５０１周りを回転し、それによってシリンジがハブ５４０から係合解除されることを妨げるようなものでもある。
【００９６】
図１０Ａ〜１５Ｃのルアーロックアダプタの、従来のルアーロックシリンジに対するそれぞれ第１の動作方位、第２の動作方位、第３の動作方位、第４の動作方位、第５の動作方位および第６の動作方位における簡略化された図である図１６Ａ、１６Ｂ、１６Ｃ、１６Ｄ、１６Ｅおよび１６Ｆをここで参照する。
【００９７】
図１６Ａは、図１０Ａ〜１５Ｃのルアーロックアダプタ５００に接続されようとするオスルアーコネクタ８０２を有する従来のルアーロックシリンジ８００を示す。
【００９８】
図１Ａ〜９Ｇの実施形態では、ルアーロックシリンジ４００がルアーロックアダプタ１００へ係合される前、圧縮ばね１５２の圧縮作用は、ハブ要素１４０を後方ハウジング部１２０のフランジ３２０の前向き面３２２に付勢し、したがって、ハブ要素１４０の歯２７８は、凹部３３０に係止係合し、歯２７８の時計回り向きの軸方向かつ半径方向を向いた係止面２８２は、軸方向を向いた反時計回り向きの係止面３３４に係止係合し、それによって、矢印３４２で表されるハブ要素１４０の後方ハウジング部１２０に対する前向きの視点で、反時計回りの回転は可能になるが、矢印２７０で表されるハブ要素１４０の後方ハウジング部１２０に対する前向きの視点で、時計回りの回転は妨げられることに留意されたい。
【００９９】
図１０Ａ〜１６Ｆの実施形態では、圧縮ばねは提供されておらず、したがって、ルアーロックシリンジ８００がルアーロックアダプタ５００に係合される前、ハブ要素５４０は、後方ハウジング部５２０のフランジ７２０の前向き面７２２に付勢されず、したがって、ハブ要素５４０の歯６７８は、凹部７３０に必ずしも、通常は係止係合せず、歯６７８の時計回り向きの軸方向かつ半径方向を向いた係止面６８２は、軸方向を向いた反時計回り向きの係止面７３４に必ずしも、通常は係止係合せず、それによって、矢印７４２で表されるハブ要素５４０の後方ハウジング部５２０に対する前向きの視点で、反時計周りの回転は可能になるが、矢印６７０で表されるハブ要素５４０の後方ハウジング部５２０に対する前向きの視点で、時計回りの回転も通常可能になる。
【０１００】
前方ハウジング部５１０の後ろ向き歯付き縁６１５とハブ要素５４０の前向き歯付き縁６５６の間の文字Ａで示される軸方向間隔は、軸方向に延在している時計回り向きの係止面６６２の軸方向の大きさより大きくてもよく、または、大きくなくてもよく、したがって、ハブ要素５４０と前方ハウジング部５１０のいずれの回転方向においても相互回転が制限されてもよく、または制限されなくてもよいことに留意されたい。図１６Ａに示す例示された実施形態では、軸方向間隔Ａは、通常、０．７ｍｍ〜１．０ｍｍの間にあり、後方ハウジング部５２０の前向き面７２２とハブ要素５４０の６７６の後ろ向き歯付き面の間の文字Ｂで示される軸方向間隔は、通常、０．８ｍｍ〜１．１ｍｍの間にある。
【０１０１】
後方ハウジング部５２０の前向き面７２２と前方ハウジング部５１０の後ろ向き歯付き縁６１５の間の文字Ｃで示される軸方向間隔は、本明細書中で上述したように、前方ハウジング部５１０と後方ハウジング部５２０のスナップフィット係合により、通常約５．４ｍｍと一定を保ち、前方ハウジング部５１０と後方ハウジング部５２０の間に軸方向のかつ方位角方向の係止を提供することが理解される。さらに、軸方向間隔Ａと軸方向間隔Ｂの合計は、本明細書中で上述したように、前方ハウジング部５１０と後方ハウジング部５２０のスナップフィット係合により通常約１．８ｍｍと一定を保ち、前方ハウジング部５１０と後方ハウジング部５２０の間に軸方向のかつ方位角方向の係止を提供する。
【０１０２】
図１６Ｂは、オスルアーコネクタ８０２がメスルアーコネクタ部５４２にその後ろ向き端部で接触係合するような、シリンジ８００のルアーロックアダプタ５００に対する軸５０１に沿った初期前方軸方向変位を示す。接触係合により、ハブ要素５４０は、ハブ要素５４０の歯６５８が、ハブ要素５４０の回転を止めシリンジ８００がハブ要素５４０に対して回転することを可能にする、歯６１６の傾斜面６１８との接触係合をするまで、矢印８１０で示すように後方ハウジング部５２０に対して前方に押される。
【０１０３】
図１６Ｂに示す例示された実施形態では、軸方向間隔Ａは、軸方向に延在している時計回り向きの係止面６６２の約０．７ｍｍである軸方向の大きさより小さく、軸方向間隔Ｂは、１．１ｍｍより大きく、これは通常約０．８ｍｍである時計回り向きの軸方向かつ半径方向を向いた係止面６８２の軸方向の大きさより大きい。
【０１０４】
図１６Ｃは、オスルアーコネクタ８０２がハブ要素５４０のメスルアーコネクタ部５４２と部分的に螺合摩擦係合するような、矢印６７０で示すようなシリンジ８００のルアーロックアダプタ５００に対する軸５０１周りの時計回りの回転を示す。この回転は、矢印７４０で示すような軸５０１に沿ったさらなる前方軸力を加えて行われる。
【０１０５】
図１６Ｃに示す例示された実施形態では、ハブ要素５４０の、前方ハウジング部５１０および後方ハウジング部５２０に対する図１６Ｂに示す位置からの時計回りの回転により、約０．４ｍｍである図１６Ｃに示す軸方向間隔Ａは、図１６Ｂに示す軸方向間隔Ａより小さく、約１．４ｍｍである図１６Ｃに示す軸方向間隔Ｂは、図１６Ｂに示す軸方向間隔Ｂより大きい。
【０１０６】
図１６Ｄは、オスルアーコネクタ８０２がハブ要素５４０のメスルアーコネクタ部５４２と完全螺合摩擦係合するような、シリンジ８００のルアーロックアダプタ５００に対する軸５１０周りの時計回りの回転を示す。この回転は、矢印７４０で示すような軸５０１に沿ったさらなる前方軸力を加えて行われる。
【０１０７】
この前方軸力により、前方ハウジング部５１０の後ろ向き歯付き縁６１５はハブ要素５４０の前向き歯付き縁６５６に係止係合し、圧縮ばねが存在しなくても、ハブ要素５４０の前方ハウジング部５１０に対するさらなる時計回りの回転を妨げ、軸方向間隔Ａはゼロに減少し、軸方向間隔Ｂは約１．８ｍｍに増加する。
【０１０８】
図１６Ｅは、オスルアーコネクタ８０２をハブ要素５４０のメスルアーコネクタ部５４２から係合解除しようとする試みにおいて、矢印７４２および７４０で示すようなシリンジ８００の、ルアーロックアダプタ５００の後方ハウジング部５２０に対する軸５０１周りの反時計回りの回転と前方を向いた軸力の供給の組み合わせを示す。この試みは、オスルアーコネクタ８０２とハブ要素５４０のメスルアーコネクタ部５４２の摩擦係合により、かつ、通常全部で４個の複数の歯６５８が形成されたハブ要素５４０の前向き歯付き縁６５６であって、該歯はそれぞれ前方ハウジング部５１０に対する反時計回り回転において前向きかつ時計回り向きの傾斜面６６０を含むものである該歯付き縁６５６が、通常全部で４個の複数の歯６１６が形成された後ろ向き歯付き縁６１５であって、該歯はそれぞれ後ろ向きの部分的に円周状の面６１７および後ろ向きかつ時計回り向きの傾斜面６１８を含むものである該歯付き縁６１５上を摺動し、したがって、ハブ要素５４０の前方ハウジング部５１０に対する反時計回り方向の回転は制限されないので、ハブ要素５４０はルアーロックアダプタ５００の残りの部分に対して反時計回りに回転自在であることにより、成功しない。
【０１０９】
図１６Ｅに示す例示された実施形態では、ハブ要素５４０の前方ハウジング部５１０および後方ハウジング部５２０に対する図１６Ｄに示す位置からの反時計回りの回転により、軸方向間隔Ａは、約０．７ｍｍである軸方向に延在している時計回り向きの係止面６６２の軸方向の大きさと略等しく、軸方向間隔Ｂは、約１．１ｍｍである。
【０１１０】
図１６Ｆは、オスルアーコネクタ８０２をハブ要素５４０のメスルアーコネクタ部５４２から係合解除しようとする試みにおいて、矢印７４２および８２０で示すような、シリンジ８００の、ルアーロックアダプタ５００の後方ハウジング部５２０に対する軸５０１周りの反時計周りの回転と後方を向いた軸力の供給の組み合わせを示す。この試みは、オスルアーコネクタ８０２とハブ要素５４０のメスルアーコネクタ部５４２の摩擦係合により、かつ、通常全部で４個の複数の歯６７８が形成されたハブ要素５４０の後ろ向き歯付き縁６７４であって、該歯はそれぞれ後方ハウジング部５２０に対する反時計回り回転における後ろ向きかつ時計回り向きの傾斜面６８０を含むものである該歯付き縁６７４が、通常全部で４個の複数の歯付き凹部７３０が形成された前向き面７２２であって、該歯付き凹部はそれぞれ前向きかつ時計回り向きの傾斜面７３２および軸方向を向いた反時計回り向きの係止面７３４を含むものである該前向き面７２２上を摺動し、したがって、ハブ要素５４０の前方ハウジング部５１０に対する反時計回り方向の回転は制限されないので、ハブ要素５４０はルアーロックアダプタ５００の残りの部分に対して反時計回りに回転自在であることにより、成功しない。
【０１１１】
図１６Ｆに示す例示された実施形態では、矢印８２０で示す後方を向いた軸力と、ハブ要素５４０の前方ハウジング部５１０および後方ハウジング部５２０に対する図１６Ｄに示した位置からの反時計周りの回転の組み合わせにより、軸方向間隔Ａは、約１．０ｍｍであり、軸方向間隔Ｂは、時計回り向きの軸方向かつ半径方向を向いた係止面６８２の約０．８ｍｍである軸方向の大きさと略等しい。
【０１１２】
図１０Ａ〜１５Ｃのルアーロックアダプタの、従来のルアーロックシリンジに対するそれぞれ第１の動作方位、第２の動作方位、第３の動作方位、第４の動作方位、第５の動作方位および第６の動作方位の簡略化された図である図１７Ａ、１７Ｂ、１７Ｃ、１７Ｄ、１７Ｅおよび１７Ｆをここで参照する。
【０１１３】
図１７Ａは、図１０Ａ〜１５Ｃのルアーロックアダプタ５００に接続されようとするオスルアーコネクタ９０２を有する従来のルアーロックコネクタ９００を示す。
【０１１４】
図１Ａ〜９Ｇの実施形態では、ルアーロックコネクタ４２０がルアーロックアダプタ１００へ係合される前、圧縮ばね１５２の圧縮作用は、ハブ要素１４０を後方ハウジング部１２０のフランジ３２０の前向き面３２２に付勢し、したがって、ハブ要素１４０の歯２７８は、凹部３３０に係止係合し、歯２７８の時計回り向きの軸方向かつ半径方向を向いた係止面２８２は、軸方向を向いた反時計回り向きの係止面３３４に係止係合し、それによって、矢印３４２で表されるハブ要素１４０の後方ハウジング部１２０に対する前向きの視点で、反時計回りの回転は可能になるが、矢印２７０で表されるハブ要素１４０の後方ハウジング部１２０に対する前向きの視点で、時計回りの回転は妨げられることに留意されたい。
【０１１５】
図１０Ａ〜１７Ｆの実施形態では、圧縮ばねは提供されておらず、したがって、ルアーロックコネクタ９００がルアーロックアダプタ５００へ係合される前、ハブ要素５４０は、後方ハウジング部５２０のフランジ７２０の前向き面７２２に付勢されず、したがって、ハブ要素５４０の歯６７８は、凹部７３０に必ずしも、通常は係止係合せず、歯６７８の時計回り向きの軸方向かつ半径方向を向いた係止面６８２は、軸方向を向いた反時計回り向きの係止面７３４に必ずしも、通常は係止係合せず、それによって、矢印７４２で表されるハブ要素５４０の後方ハウジング部５２０に対する前向きの視点で、反時計周りの回転は可能になるが、矢印６７０で表されるハブ要素５４０の後方ハウジング部５２０に対する前向きの視点で、時計回りの回転も通常可能になる。
【０１１６】
前方ハウジング部５１０の後ろ向き歯付き縁６１５とハブ要素５４０の前向き歯付き縁６５６の間の文字Ａで示された軸方向間隔は、軸方向に延在している時計回り向きの係止面６６２の軸方向の大きさより大きくてもよく、または、大きくなくてもよく、したがって、ハブ要素５４０と前方ハウジング部５１０のいずれの回転方向においても相互回転は制限されてもよく、または制限されなくてもよいことに留意されたい。図１７Ａに示す例示された実施形態では、軸方向間隔Ａは、通常約０．７ｍｍ〜１．０ｍｍの間にあり、後方ハウジング部５２０の前向き面７２２とハブ要素５４０の６７６の後ろ向き歯付き面の間の文字Ｂで示された軸方向間隔は、通常０．８ｍｍ〜１．１ｍｍの間にある。
【０１１７】
文字Ｃによって示される後方ハウジング部５２０の前向き面７２２と前方ハウジング部５１０の後ろ向き歯付き縁６１５の間の軸方向間隔は、本明細書中で上述したように、前方ハウジング部５１０と後方ハウジング部５２０のスナップフィット係合により通常約５．４ｍｍと一定を保ち、前方ハウジング部５１０と後方ハウジング部５２０の間に軸方向のかつ方位角方向の係止を提供することが理解される。さらに、軸方向間隔Ａと軸方向間隔Ｂの合計は、本明細書内で上述したように、前方ハウジング部５１０と後方ハウジング部５２０のスナップフィット係合により、通常約１．８ｍｍと一定を保ち、前方ハウジング部５１０と後方ハウジング部５２０の間に軸方向のかつ方位角方向の係止を提供する。
【０１１８】
図１７Ｂは、オスルアーコネクタ９０２がメスルアーコネクタ部５４２にその後ろ向き端部で接触係合するような、ルアーロックコネクタ９００のルアーロックアダプタ５００に対する軸５０１に沿った初期前方軸方向変位を示す。接触係合により、ハブ要素５４０は、ハブ要素５４０の歯６５８が、ハブ要素５４０の回転を止めルアーロックコネクタ９００がハブ要素５４０に対して回転することを可能にする、歯６１６の傾斜面６１８との接触係合をするまで、矢印９１０で示すように後方ハウジング部５２０に対して前方に押される。
【０１１９】
図１７Ｂに示す例示された実施形態では、軸方向間隔Ａは、約０．７ｍｍである軸方向に延在している時計回り向きの係止面６６２の軸方向の大きさより小さく、軸方向間隔Ｂは、１．１ｍｍより大きく、これは、通常約０．８ｍｍである時計回り向きの軸方向かつ半径向を向いた係止面６８２の軸方向の大きさより大きい。
【０１２０】
図１７Ｃは、オスルアーコネクタ９０２がハブ要素５４０のメスルアーコネクタ部５４２と部分的に螺合摩擦係合するような、矢印６７０で示すようなルアーロックコネクタ９００のルアーロックアダプタ５００に対する軸５０１周りの時計回りの回転を示す。この回転は、矢印７４０で示すような軸５０１に沿ったさらなる前方軸力を加えて行われる。
【０１２１】
図１７Ｃに示す例示された実施形態では、ハブ要素５４０の前方ハウジング部５１０および後方ハウジング部５２０に対する図１７Ｂに示す位置からの時計回りの回転により、約０．４ｍｍである図１７Ｃに示す軸方向間隔Ａは、図１７Ｂに示す軸方向間隔Ａより小さく、約１．４ｍｍである図１７Ｃに示す軸方向間隔Ｂは、図１７Ｂに示す軸方向間隔Ｂより大きい。
【０１２２】
図１７Ｄは、オスルアーコネクタ９０２がハブ要素５４０のメスルアーコネクタ部５４２と完全螺合摩擦係合するような、ルアーロックコネクタ９００のルアーロックアダプタ５００に対する軸５０１周りの時計回りの回転を示す。この回転は、矢印７４０で示すような軸５０１に沿ったさらなる前方軸力を加えて行われる。
【０１２３】
この前方軸力により、前方ハウジング部５１０の後ろ向き歯付き縁６１５は、ハブ要素５４０の前向き歯付き縁６５６に係止係合し、圧縮ばねが存在しなくてもハブ要素５４０の前方ハウジング部５１０に対するさらなる時計回りの回転は妨げられ、軸方向間隔Ａはゼロに減少し、軸方向間隔Ｂは約１．８ｍｍに増加する。
【０１２４】
図１７Ｅは、オスルアーコネクタ９０２をハブ要素５４０のメスルアーコネクタ部５４２から係合解除しようとする試みにおいて、矢印７４２および７４０で示すような、ルアーロックコネクタ９００の、ルアーロックアダプタ５００の後方ハウジング部５２０に対する軸５０１周りの反時計回りの回転と前方を向いた軸力の供給の組み合わせを示す。この試みは、オスルアーコネクタ９０２とハブ要素５４０のメスルアーコネクタ部５４２の摩擦係合により、かつ、通常全部で４個の複数の歯６５８が形成されたハブ要素５４０の前向き歯付き縁６５６であって、該歯はそれぞれ前方ハウジング部５１０に対する反時計回り回転において前向きかつ時計回り向きの傾斜面６６０を含むものである該歯付き縁６５６が、通常全部で４個の複数の歯６１６が形成された後ろ向き歯付き縁６１５であって、該歯はそれぞれ後ろ向きの部分円周面６１７および後ろ向きかつ時計回り向きの傾斜面６１８を含むものである該歯付き縁６１５上を摺動し、したがって、ハブ要素５４０の前方ハウジング部５１０に対する反時計回り方向の回転は制限されないので、ハブ要素５４０はルアーロックアダプタ５００の残りの部分に対して反時計回りに回転自在であることにより、成功しない。
【０１２５】
図１７Ｅに示す例示された実施形態では、ハブ要素５４０の前方ハウジング部５１０および後方ハウジング部５２０に対する図１７Ｄに示す位置からの反時計回りの回転により、軸方向間隔Ａは、約０．７ｍｍである軸方向に延在している時計回り向きの係止面６６２の軸方向の大きさと略等しく、軸方向間隔Ｂは、約１．１ｍｍである。
【０１２６】
図１７Ｆは、オスルアーコネクタ９０２をハブ要素５４０のメスルアーコネクタ部５４２から係合解除しようとする試みにおいて、ルアーロックコネクタ９００の、ルアーロックアダプタ５００の後方ハウジング部５２０に対する軸５０１周りの反時計回りの回転と後方を向いた軸力の供給の組み合わせを示す。この試みは、オスルアーコネクタ９０２とハブ要素５４０のメスルアーコネクタ部５４２の摩擦係合により、かつ、通常全部で４個の複数の歯６７８が形成されたハブ要素５４０の前向き歯付き縁６７４であって、該歯はそれぞれ後方ハウジング部５２０に対する反時計回り回転における後ろ向きかつ時計回り向きの傾斜面６８０を含むものである該歯付き縁６７４が、通常全部で４個の複数の歯付き凹部７３０が形成された前向き面７２２であって、該歯付き凹部はそれぞれ前向きかつ時計回り向きの傾斜面７３２および軸方向を向いた反時計回り向きの係止面７３４を含むものである該前向き面７２２上を摺動し、したがって、ハブ要素５４０の前方ハウジング部５１０に対する反時計回り方向の回転は制限されないので、ハブ要素５４０はルアーロックアダプタ５００の残りの部分に対して反時計回りに回転自在であることにより、成功しない。
【０１２７】
図１７Ｆに示す例示された実施形態では、矢印８２０で示す後方を向いた軸力とハブ要素５４０の前方ハウジング部５１０および後方ハウジング部５２０に対する図１７Ｄに示す位置からの反時計回りの回転の組み合わせにより、軸方向間隔Ａは、約１．０ｍｍであり、軸方向間隔Ｂは、時計回り向きの軸方向かつ半径方向を向いた係止面６８２の約０．８ｍｍである軸方向の大きさと略等しい。
【０１２８】
本発明の好ましい実施形態により構成され動作するルアーロックアダプタの簡略化されたそれぞれ第１の側面図、第２の側面図、第１の端面図、第２の端面図および図１８Ｄの線ＸＶＩＩＩＥ−ＸＶＩＩＩＥに沿った断面図である図１８Ａ、１８Ｂ、１８Ｃ、１８Ｄおよび１８Ｅ、ならびに図１８Ａ〜１８Ｅのルアーロックアダプタの簡略化された分解図である図１９をここで参照する。
【０１２９】
図１８Ａ〜１８Ｅおよび１９で把握されるように、長手軸１００１に概ね沿って延在しルアー接続端部１００２およびポート接続端部１００４を有するルアーロックアダプタ１０００が提供される。メスルアー接続端部１００２が示されているが、ルアー接続端部は、任意の適切なルアー接続端部であってもよい。特定のポート接続端部１００４が示されているが、ポート接続端部１００４は、任意の適切なポート接続端部１００４であってもよい。
【０１３０】
ルアーロックアダプタ１０００は、前方ハウジング部１０１０および後方ハウジング部１０２０を含むことが好ましく、それらは、相対的な軸方向移動およびそれらの間の軸１００１周りの相対的な方位角方向移動の両方を妨げるように互いに固定的にスナップフィットされるのが好ましい。代替として、前方ハウジング部１０１０および後方ハウジング部１０２０は、単一の統合ユニットとして形成されてもよい。図１８Ａで、前向き方向は左を向いている。
【０１３１】
前方ハウジング部１０１０内にセプタムハウジング部１０３０が配置され、セプタムハウジング部１０３０に、好ましくはセプタムハウジング部１０３０の前縁および後縁の超音波カシメによりセプタムハウジング部１０３０に保持される前方セプタム１０３２および後方セプタム１０３４が固定的に取り付けられる。
【０１３２】
後方ハウジング部１０２０内に、その後ろ向き端部でメスルアーコネクタ部１０４２を画定しその前向き端部で針取付け部１０４４を画定するハブ要素１０４０が配置される。針取付け部１０４４に取り付けられた針１０４６は、ポート接続端部１００４でポート接続がない場合は針１０４６の尖端１０５０が後方セプタム１０３４と前方セプタム１０３２の間でセプタムハウジング１０３０内に位置するように、長手軸１００１に沿って前方ハウジング部１０１０内に軸方向前方に延在する。圧縮ばね１０５２は、セプタムハウジング１０３０を、ハブ要素１０４０および針１０４６に対して前方に付勢する。圧縮ばね１０５２は、ハブ要素１０４０の前向き面１０５３とセプタムハウジング１０３０の後ろ向き面１０５４の間に収まる。
【０１３３】
本発明の実施形態の特定の特徴は、ここでは軸１００１である軸を画定する、ここではハウジング部１０１０および１０２０であるハウジングと、ここではハブ要素１０４０である内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するためにハウジングに回転可能に取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ここではルアーロックアダプタ１０００であるルアーロックアダプタが提供されることである。
【０１３４】
図１８Ａ〜１９のルアーロックアダプタの形成部である前方ハウジング部１０１０の簡略化されたそれぞれ第１の側面図、第２の側面図、ルアー接続端部の斜視図および断面図である図２０Ａ、２０Ｂ、２０Ｃおよび２０Ｄをここでさらに参照する。
【０１３５】
図２０Ａ〜２０Ｄで把握されるように、前方ハウジング部１０１０は、前方円周リム１１０２と、一対の逆方向を向いたポートコネクタ係合部１１０６が隣接して取り付けられた一対の反対側切り欠き部１１０４とを有する概ね円柱状の主部１１００を備える。
【０１３６】
ポートコネクタ係合部１１０６はそれぞれ、格納式ポートコネクタ係合歯１１１０に連結するリブ付き指係合面１１０８を含むことが好ましい。ポートコネクタ係合部１１０６はそれぞれ、対応する切り欠き部１１０４にまで及ぶ屈曲性のある取付けアーチ１１１２によって主部１１００に屈曲可能に取り付けられる。係合面１１０８を手で押すことによりポートコネクタ係合歯１１１０は格納され、したがって、両方のポートコネクタ係合部１１０６の係合面１１０８を同時に手で押すとポートコネクタ（図示せず）を円筒主部１１００の内部から係合解除することが可能になる。
【０１３７】
図２０Ｄで明確に把握されるように、主部１１００の反対側内部面はそれぞれ、セプタムハウジング１０３０の前方ハウジング部１０１０に対する前方変位を制限する前方止め画定壁面１１１４を有するセプタムハウジングガイド用凹部１１１３を画定する。
【０１３８】
図２０Ｃで特に明確に把握されるように、前方ハウジング部１０１０は、後ろ向き縁１１１５を含む。主部１１００の半径方向外方面１１２０上で後ろ向き縁１１１５に隣接して、複数の相互に離間している周方向長尺突起１１２１が在る。
【０１３９】
図２０Ｄで把握されるように、好ましくは両側に一対の複数の突起１１２２は、ルアーロックアダプタ１１００の中空ポート接続端部１００４の内向き周方向壁面１１２３の両側に在る。
【０１４０】
前方セプタム１０３２の簡略化された説明図である図２１Ａおよび２１Ｂ、ならびにセプタムハウジング部１０３０の図の簡略化されたそれぞれ第１の側面図、第２の側面図、端面図および図２２Ａの線ＸＸＩＩＤ−ＸＸＩＩＤに沿った断面図である図２２Ａ、２２Ｂ、２２Ｃおよび２２Ｄをここでさらに参照する。
【０１４１】
図２１Ａ〜２２Ｄで把握されるように、セプタムハウジング部１０３０は、それぞれ前方セプタム１０３２および後方セプタム１０３４を収容するそれぞれ前方凹部１１２６および後方凹部１１２７につながる概ね円形のそれぞれ前方開口１１２４および後方開口１１２５を有する概ね円筒状の要素である。開口針収容チャネル１１２８は、前方凹部１１２６と後方凹部１１２７の間で軸１００１に沿って長手方向に延在する。
【０１４２】
図２１Ａおよび２１Ｂで特に把握されるように、前方セプタム１０３２は、好ましくは、ポリイソプレンなどのポリマーで形成された一体形成要素であり、セプタムハウジング部１０３０の前方凹部１１２６に取り付けられ後方を向いた前方セプタム面１１３２を画定することが好ましい相対的に太い後方円筒部１１３０、および後方円筒部１１３０の前方に延在し好ましくはセプタムハウジング部１０３０の前方開口１１２４を通ってその前方に延在し前方を向いた前方セプタム面１１３６を画定する相対的に細い円筒部１１３４を含む。後方セプタム１０３４は、好ましくは、ポリイソプレンなどのポリマーで形成された一体形成要素であり、円盤状の扁平円筒構成を有し、セプタムハウジング部１０３０の後方凹部１１２７に収まる。
【０１４３】
ここで具体的に、セプタムハウジング部１０３０を示す図２２Ａ〜２２Ｄに戻ると、セプタムハウジング部１０３０は、半径方向外方に突出した周方向帯１１４０が形成された概ね円筒状の外面１１３８を有することが把握される。一対の細い突起１１４２は、セプタムハウジングガイド用凹部１１１３および前方止め画定壁面１１１４と係合ししたがってセプタムハウジング部１０３０の前方ハウジング部１０１０内での前方変位を制限しセプタムハウジング部１０３０の軸１００１周りの方位角方向の回転を妨げるために、セプタムハウジング１０３０の周方向帯１１４０から半径方向外方に延在する。
【０１４４】
ハブ要素１０４０の図の簡略化されたそれぞれ第１の側面図、第２の側面図、第１の斜視端面図、第２の斜視端面図および図２３Ｃの線ＸＸＩＩＩＥ−ＸＸＩＩＩＥに沿った断面図である図２３Ａ、２３Ｂ、２３Ｃ、２３Ｄおよび２３Ｅをここで参照する。本明細書中で上述したように、ハブ要素１０４０は、後ろ向き端部でメスルアーコネクタ部１０４２を画定し、前向き端部で針取付け部１０４４を画定する。
【０１４５】
メスルアーコネクタ部１０４２と針取付け部１０４４の中間に、半径方向歯付き円周中間部１１５０が配置される。半径方向歯付き円周中間部１１５０は、一対の概ね反対側の周方向隙間１１５４によって分離された一対の概ね反対側の外向きの円柱面部１１５２を含むことが好ましい。
【０１４６】
それぞれの隙間１１５４内に周方向にかつ外向きの円柱面部１１５２の周方向縁１１５６から半径方向外方に延在するのは、好ましくは均等に周方向に離間している一対の片持ち歯付きアーム１１６０であり、片持ち歯付きアーム１１６０はそれぞれ、概ね円周状のアーム部１１６２および歯部１１６４を含む。
【０１４７】
歯部１１６４は、前向き面１１６６および面１１６６に平行である後ろ向き面１１６８、面１１６６および１１６８に垂直に延在することが好ましい周方向かつ半径方向外方の傾斜面１１７０、半径方向外向きの係合面１１７４、および時計回り向きの半径方向を向いた係止面１１７６を含むことが好ましい。
【０１４８】
半径方向歯付き円周中間部１１５０の前方に、前向き面１１８０、外向き円筒縁面１１８２および後ろ向き面１１８４を有する前向きフランジ１１７８が在る。
【０１４９】
後方ハウジング部１０２０の簡略化された斜視端面図、切り取り斜視端面図および断面図である図２４Ａ、２４Ｂおよび２４Ｃをここでさらに参照する。
【０１５０】
図１９および２４Ａ〜２４Ｃで把握されるように、後方ハウジング部１０２０は、軸１００１に沿って配置され、前方端部１２００、後方端部１２０２、円柱外向き面１２０４、および円柱内向き面１２０６を有する全体的に円柱状の要素であることが好ましい。前向き面１２２２および後ろ向き面１２２４を有する内方を向いたフランジ１２２０は、前方端部１２００と後方端部１２０２の中間にあり、内向き面１２０６の半径方向内方に延在する。
【０１５１】
内方を向いたフランジ１２２０の前方の円柱内向き面１２０６の周方向にかつ半径方向内方に延在するのは、好ましくは４個の複数の概ね等間隔の歯１２３０であり、歯１２３０はそれぞれ、ゆるやかに傾斜した半径方向向きの面１２３２および反時計回り向きの半径方向を向いた係止面１２３４を有する。歯１２３０のそれぞれの半径方向内方の大きさは、内向き面１２０６から反時計回り向きの係止面１２３４に反時計回りに増大する。
【０１５２】
ハブ要素１０４０の歯部１１６４の構成および後方ハウジング部１０２０の歯１２３０の構成は、シリンジまたは他の要素（図示せず）のオスルアーコネクタが、前向きの視点で、時計回りの回転方向でメスルアーコネクタ部１０４２にねじ込まれたとき、シリンジを前述の時計回り方向に回転させることを続けると、ハブ要素１０４０の前述の時計回り方向の対応する回転が生じ、時計回り向きの半径方向を向いた係止面１１７６が、後方ハウジング部１０２０の歯１２３０のうち２個の歯の対応する反時計回り向きの半径方向を向いた係止面１２３４と係止係合するようなものであることが好ましい。前述の時計回りの回転方向は、図２４Ａで、矢印１２７０で示される。
【０１５３】
前方ハウジング部１０１０の対応する突起１１２１をスナップフィット係合で受け、それによって、前方ハウジング部１０１０と後方ハウジング部１０２０の間に軸方向のかつ方位角方向の係止の両方を提供する複数の方位角方向に相互に離間している周方向凹部１２３８は、内向き面１２０６に形成される。
【０１５４】
図１Ａ〜９Ｇおよび１０Ａ〜１７Ｆに示す実施形態では、それぞれハブ要素１４０および５４０は、それぞれ前方ハウジング部１１０および５１０に対してかつそれぞれ後方ハウジング部１２０および５２０に対して軸方向に移動可能であるが、図１８Ａ〜２４Ｃに示す実施形態では、先述の前方ハウジング部１０１０と後方ハウジング部１０２０の間の軸方向のかつ方位角方向の係止により、ハブ要素１０４０も前方ハウジング部１０１０に対してかつ後方ハウジング部１０２０に対して軸方向に係止されるが、ハブ要素１０４０の前方ハウジング部１０１０に対するかつ後方ハウジング部１０２０に対する軸１００１周りの方位角方向の移動は可能となることが理解される。
【０１５５】
ハブ要素１０４０の半径方向を向いた係止面１１７６と後方ハウジング部１０２０の対応する係止面１２３４の４つの異なる回転方位における相対的位置を示す図２３Ｆ〜２３Ｉをここで参照する。
【０１５６】
図２３Ｆで把握されるように、第１の回転方位では、ハブ要素１０４０の半径方向を向いた係止面１１７６は、後方ハウジング部１０２０の係止面１２３４と時計回り動作係止係合し、ハブ要素１０４０の後方ハウジング部１０２０に対する、矢印１２７０で示すような前向きの視点で、時計周りの回転を妨げる。この方位では、ハブ要素１０４０の後方ハウジング部１０２０に対する反時計回りの移動は可能であることが理解される。
【０１５７】
図２３Ｇおよび２３Ｈで把握されるように、第２のかつ第３の回転方位では、ハブ要素１０４０は、図２３Ｆで示す方位から、 後方ハウジング部１０２０に対する前向きの視点で、反時計回りに回転している。ハブ要素１０４０の半径方向を向いた係止面１１７６は、後方ハウジング部１０２０の係止面１２３４と時計回り動作係止係合していない。これらの方位では、矢印１２８０で示すような、ハブ１０４０の後方ハウジング部１０２０に対する前向きの視点で、反時計回りの回転が可能であることが理解される。図２３Ｆに示された第１の回転方位に戻る、ハブ要素１０４０の後方ハウジング部１０２０に対する制限された前向きの視点で、時計回りの回転が可能であることも理解される。
【０１５８】
図２３Ｉで把握されるように、第４の回転方位では、ハブ要素１０４０は、図２３Ｆで示された方位から前向きの視点で、矢印１２８０で示すように９０°反時計回りに回転している。ハブ要素１０４０の半径方向を向いた係止面１１７６は、後方ハウジング部１０２０の係止面１２３４と時計回り動作係止係合し、ハブ要素１０４０の後方ハウジング部１０２０に対する前向きの視点で、時計回りの回転を妨げる。この方位では、ハブ要素１０４０の後方ハウジング部１０２０に対する反時計回りの移動は可能であることが理解される。
【０１５９】
図１８Ａ〜２４Ｃのルアーロックアダプタの、従来のルアーロックシリンジに対するそれぞれ第１の動作方位、第２の動作方位、第３の動作方位、第４の動作方位、第５の動作方位および第６の動作方位における簡略化された図である図２５Ａ、２５Ｂ、２５Ｃ、２５Ｄ、２５Ｅおよび２５Ｆをここで参照する。
【０１６０】
図２５Ａは、図１８Ａ〜２４Ｃのルアーロックアダプタ１０００に接続されようとするオスルアーコネクタ１３０２を有する従来のルアーロックシリンジ１３００を示す。ルアーロックシリンジ１３００がルアーロックアダプタ１０００へ係合される前、前方ハウジング部１０１０と後方ハウジング部１０２０の間のスナップフィット係合、より具体的には、前方ハウジング部１０１０の対応する突起１１２１を受ける、後方ハウジング部の相互に方位角方向に離間している周方向凹部１２３８におけるスナップフィット係合により、図１８Ｅで把握されるようにハブ要素１０４０は保持され、したがって、ハブ要素１０４０の歯部１１６４は、図２５Ａの表示Ａの断面拡大図で把握されるように、後方ハウジング部１０２０の歯１２３０と概ね同一平面内にあり動作係合する。
【０１６１】
通常、歯要素１１６４の時計回り向きの半径方向を向いた係止面１１７６は、後方ハウジング部１０２０の歯１２３０の反時計回り向きの半径方向を向いた係止面１２３４と係止係合し、それによって、矢印１２８０で表されるハブ要素１０４０の後方ハウジング部１０２０に対する前向きの視点で、反時計周りの回転は可能になるが、矢印１２７０で表されるハブ要素１０４０の後方ハウジング部１０２０に対する前向きの視点で、時計周りの回転は妨げられる。
【０１６２】
図２５Ｂは、オスルアーコネクタ１３０２がメスルアーコネクタ部１０４２とその後ろ向き端部で接触係合するような、シリンジ１３００のルアーロックアダプタ１０００に対する軸１００１に沿った初期前方軸方向変位を示す。後方ハウジング部１０２０とハブ要素１０４０の係止係合は、図２５Ａを参照して本明細書中で上述されたものと変わらない。
【０１６３】
図２５Ｃは、オスルアーコネクタ１３０２がハブ要素１０４０のメスルアーコネクタ部１０４２と完全螺合摩擦係合するような、矢印１２７０で示すようなシリンジ１３００のルアーロックアダプタ１０００に対する軸１００１周りの時計回りの回転を示す。この回転は、軸１００１に沿ったさらなる前方軸力を加えることなく行われる。この完全螺合は、後方ハウジング部１０２０に対する時計回りの回転に対して、ハブ要素１０４０の回転の上記係止をすることによって可能になる。
【０１６４】
図２５Ｄ、２５Ｅおよび２５Ｆは、オスルアーコネクタ１３０２をハブ要素１０４０のメスルアーコネクタ部１０４２から係合解除しようとする試みにおいて、矢印１２８０で示すようなシリンジ１３００の、ルアーロックアダプタ１０００の後方ハウジング部１０２０に対する軸１００１周りの反時計回りの回転を示す。この試みは、オスルアーコネクタ１３０２とハブ要素１０４０のメスルアーコネクタ部１０４２の摩擦係合により、かつ、ハブ要素１０４０がルアーロックアダプタ１０００の残りの部分に対して反時計周りに回転自在であることにより、成功しない。図２５Ｄおよび２５Ｅの表示Ａの断面拡大図で、ハブ要素１０４０の後方ハウジング部１０２０に対する反時計回りの移動により、歯要素１１６４の半径方向を向いた係止面１１７６は、後方ハウジング部１０２０の歯１２３０の反時計回り向きの半径方向を向いた係止面１２３４ともはや係止係合していないことが把握される。図２５Ｆの表示Ａの断面拡大図で把握されるように、シリンジ１３００およびハブ要素１０４０の後方ハウジング部１０２０に対する９０°の回転を受けて、歯要素１１６４の半径方向を向いた係止面１１７６は再度、後方ハウジング部１０２０の歯１２３０の反時計回り向きの半径方向を向いた係止面１２３４と係止係合し、ハブ要素１０４０の後方ハウジング部１０２０に対する時計回りの移動を妨げるが、ハブ要素１０４０の後方ハウジング部１０２０に対する反時計回りの移動を可能にする。
【０１６５】
図１８Ａ〜２４Ｃのルアーロックアダプタの、従来のルアーロックコネクタに対するそれぞれ第１の動作方位、第２の動作方位、第３の動作方位、第４の動作方位、第５の動作方位および第６の動作方位における簡略化された図である図２６Ａ、２６Ｂ、２６Ｃ、２６Ｄ、２６Ｅおよび２６Ｆをここで参照する。
【０１６６】
図２６Ａは、図１８Ａ〜２４Ｃのルアーロックアダプタ１０００に接続されようとするオスルアーコネクタ１４０２を有する従来のルアーロックコネクタ１４００を示す。ルアーロックコネクタ１４００がルアーロックアダプタ１０００へ係合される前、前方ハウジング部１０１０と後方ハウジング部１０２０の間のスナップフィット係合、より具体的には、前方ハウジング部１０１０の対応する突起１１２１を受ける後方ハウジング部の相互に方位角方向に離間している周方向凹部１２３８におけるスナップフィット係合により、ハブ要素１０４０は、図１８Ｅで把握されるように保持され、したがって、図２６Ａの表示Ａの断面拡大図で把握されるように、ハブ要素１０４０の歯部１１６４は、後方ハウジング部１０２０の歯１２３０と概ね同一平面内にあり動作係合する。
【０１６７】
通常、歯要素１１４６の時計回り向きの半径方向を向いた係止面１１７６は、後方ハウジング部１０２０の歯１２３０の反時計回り向きの半径方向を向いた係止面１２３４と係止係合し、それによって、矢印１３２０で表すハブ要素１０４０の後方ハウジング部１０２０に対する前向きの視点で、反時計周りの回転は可能になるが、矢印１２７０で表すハブ要素１０４０の後方ハウジング部１０２０に対する前向きの視点で、時計周りの回転は妨げられる。
【０１６８】
図２６Ｂは、オスルアーコネクタ１４０２がメスルアーコネクタ部１０４２にその後ろ向き端部で接触係合するような、ルアーロックコネクタ１４００のルアーロックアダプタ１０００に対する軸１００１に沿った初期前方軸方向変位を示す。後方ハウジング部１０２０とハブ要素１０４０の係止係合は、図２６Ａを参照して本明細書中で上述されたものと変わらない。
【０１６９】
図２６Ｃは、オスルアーコネクタ１４０２がハブ要素１０４０のメスルアーコネクタ部１０４２と完全螺合摩擦係合するような、矢印１２７０で示すようなルアーロックコネクタ１４００のルアーロックアダプタ１０００に対する軸１００１周りの時計回りの回転を示す。この回転は、軸１００１に沿ったさらなる前方軸力を加えることなしに行われる。この完全螺合は、後方ハウジング部１０２０に対する時計回りの回転に対して、ハブ要素１０４０の回転の上記係止をすることによって可能になる。
【０１７０】
図２６Ｄ、２６Ｅおよび２６Ｆは、オスルアーコネクタ１４０２をハブ要素１０４０のメスルアーコネクタ部１０４２から係合解除しようとする試みにおいて、矢印１３２０で示すようなルアーロックコネクタ１４００の、ルアーロックアダプタ１０００の後方ハウジング部１０２０に対する軸１００１周りの反時計周りの回転を示す。この試みは、オスルアーコネクタ１４０２とハブ要素１０４０のメスルアーコネクタ部１０４２の摩擦係合により、かつ、ハブ要素１０４０はルアーロックアダプタ１０００の残りの部分に対して反時計周りに回転自在であることにより、成功しない。図２６Ｄおよび２６Ｅの表示Ａの断面拡大図で、ハブ要素１０４０の後方ハウジング部１０２０に対する反時計回りの移動により、歯要素１１６４の半径方向を向いた係止面１１７６は、後方ハウジング部１０２０の歯１２３０の反時計回り向きの半径方向を向いた係止面１２３４ともはや係止係合していないことが把握される。図２６Ｆの表示Ａの断面拡大図で把握されるように、ルアーロックコネクタ１４００およびハブ要素１０４０の後方ハウジング部１０２０に対する９０°の回転を受けて、歯要素１１６４の半径方向を向いた係止面１１７６は再度、後方ハウジング部１０２０の歯１２３０の反時計回り向きの半径方向を向いた係止面１２３４と係止係合し、ハブ要素１０４０の後方ハウジング部１０２０に対する時計回りの移動を妨げるが、ハブ要素１０４０の後方ハウジング部１０２０に対する反時計回りの移動を可能にする。
【０１７１】
本発明の別の好ましい実施形態により構成され動作するルアーロックアダプタの簡略化されたそれぞれ第１の側面図、第２の側面図、第１の端面図、第２の端面図および図２７Ｄの線ＸＸＶＩＩＥ−ＸＸＶＩＩＥに沿った断面図である図２７Ａ、２７Ｂ、２７Ｃ、２７Ｄおよび２７Ｅ、ならびに図２７Ａ〜２７Ｅのルアーロックアダプタの簡略化された分解図である図２８をここで参照する。
【０１７２】
図２７Ａ〜２７Ｅおよび２８で把握されるように、長手軸１５０１に概ね沿って延在しルアー接続端部１５０２およびポート接続端部１５０４を有するルアーロックアダプタ１５００が提供される。ルアーロックアダプタ１５００は、前方ハウジング部１５１０および後方ハウジング部１５２０を含むことが好ましく、それらは相対的な軸方向移動およびそれらの間の軸１５０１周りの相対的な方位角方向移動の両方を妨げるように互いに固定的にスナップフィットされることが好ましい。代替として、前方ハウジング部１５１０および後方ハウジング部１５２０は、単一の統合ユニットとして形成されてもよい。図２７Ａで、前向き方向は左を向いている。
【０１７３】
前方ハウジング部１５１０内に、好ましくはセプタム取付け部１５３６の前縁および後縁の超音波カシメによりセプタム取付け部１５３６に固定的にかつ封止的に保持された前方セプタム１５３２および後方セプタム１５３４を含むセプタムハウジング組立体１５３０が配置される。セプタムハウジング組立体１５３０は、それぞれが前方係合部１５３９を含む複数のセプタムハウジング取付け脚部１５３８を含むことが好ましく、該セプタムハウジング取付け脚部１５３８は通常、セプタム取付け部１５３６にスナップ取付けされる。
【０１７４】
後方ハウジング部１５２０内に、その後ろ向き端部でメスルアーコネクタ部１５４２を画定しその前向き端部で針取付け部１５４４を画定するハブ要素１５４０が配置される。針取付け部１５４４に取り付けられた針１５４６は、ポート接続端部１５０４でポート接続がない場合は針１５４６の尖端１５５０が後方セプタム１５３４と前方セプタム１５３２の間でセプタムハウジング１５３０内に位置するように、長手軸１５０１に沿って前方ハウジング部１５１０内に軸方向前方に延在する。図１８Ａ〜２６Ｆの実施形態とは異なり、圧縮ばねは提供されておらず、セプタムハウジング１５３０は、セプタムハウジング取付け脚部１５３８を介して前方ハウジング部１５１０に軸方向に摺動可能に取り付けられる。
【０１７５】
本発明の実施形態の特定の特徴は、ここでは軸１５０１である軸を画定する、ここではハウジング部１５１０および１５２０であるハウジングと、ここではハブ要素１５４０である内部ルアーロック要素であって、ルアーロック要素のハウジングに対する第１の回転方向での軸周りの回転を可能にし、ルアーロック要素のハウジングに対する、第１の回転方向と反対の第２の回転方向での軸周りの回転を制限するように、ハウジングの内方に配置され、ハウジングに対して軸周りに回転するためにハウジングに回転可能に取り付けられた該内部ルアーロック要素とを含み、そのことにより、ハウジングの内方に内部ルアーロック要素を配置することによって、第１の回転方向のその回転を制限する内部ルアーロック要素への手動アクセスが妨げられる、ここではルアーロックアダプタ１５００であるルアーロックアダプタが提供されることである。
【０１７６】
図２７Ａ〜２８のルアーロックアダプタの前方ハウジング部の形成部の簡略化されたそれぞれ第１の側面図、第２の側面図、ルアー接続端部斜視図、および図２９Ｃの線ＸＸＩＸＤ−ＸＸＩＸＤに沿った断面図である図２９Ａ、２９Ｂ、２９Ｃおよび２９Ｄをここでさらに参照する。
【０１７７】
図２９Ａ〜２９Ｄで把握されるように、前方ハウジング部１５１０は、前方円周リム１６０２と、一対の逆方向を向いたポートコネクタ係合部１６０６が隣接して取り付けられた一対の反対側切り欠き部１６０４とを有する概ね円柱状の主部１６００を備える。
【０１７８】
ポートコネクタ係合部１６０６はそれぞれ、格納式ポートコネクタ係合歯１６１０に連結するリブ付き指係合面１６０８を含むことが好ましい。ポートコネクタ係合部１６０６はそれぞれ、対応する切り欠き部１６０４にまで及ぶ屈曲性のある取付けアーチ１６１２によって主部１６００に屈曲可能に取り付けられる。係合面１６０８を手で押すことによりポートコネクタ係合歯１６１０は格納され、したがって、両方のポートコネクタ係合部１６０６の係合面１６０８を同時に手で押すとポートコネクタ（図示せず）を円筒主部１６００の内部から係合解除することが可能になる。
【０１７９】
図２９Ｄで明確に把握されるように、主部１６００の反対側内部面はそれぞれ、セプタムハウジング１５３０の前方ハウジング部１５１０に対する前方変位を制限する前方止め画定壁面１６１４を有するセプタムハウジングガイド用凹部１６１３を画定する。
【０１８０】
図２９Ｃで特に明確に把握されるように、前方ハウジング部１５１０は、後ろ向き縁１６１５を含む。主部１６００の半径方向外方面１６２０上で後ろ向き縁１６１５に隣接して、複数の相互に離間している周方向長尺突起１６２１が在る。
【０１８１】
図２９Ｄで把握されるように、前方ハウジング部１５１０の内向き周方向壁面１６２３の前方に、複数の凹部１６２４が提供され、複数の凹部１６２４はそれぞれ、内向き周方向壁面１６２３に対して半径方向外方に配置されかつその前方に在る内向き壁面を有する。凹部１６２４は、先細の肩部１６２６によって内向き周方向壁面１６２３からそれぞれ分離される。
【０１８２】
セプタムハウジング取付け脚部１５３８の前方係合部１５３９は、ポート接続端部１５０４が例えばバイアルアダプタなどのポートアダプタによって係合されないとき、対応する凹部１６２４に収まることが理解される。ポートアダプタとポート接続端部１５０４が係合すると、通常、前方係合部１５３９は、凹部１６２４の外へ半径方向内方かつ後方に、それぞれの先細の肩部１６２６を超えて押し進められ、内向き周方向壁面１６２３と係合される。
【０１８３】
図２７Ａ〜２８のルアーロックアダプタのセプタムハウジング組立体の形成部の簡略化されたそれぞれ後ろ向き斜視図、前向き斜視図、側面図、図３０Ａの線ＸＸＸＤ−ＸＸＸＤに沿った前向き端面図、および断面図である図３０Ａ、３０Ｂ、３０Ｃ、３０Ｄおよび３０Ｅをここで参照する。
【０１８４】
上述のように、セプタムハウジング組立体１５３０は、好ましくはセプタム取付け部１５３６の前縁および後縁の超音波カシメによりセプタム取付け部１５３６に固定的にかつ封止的に保持された前方セプタム１５３２および後方セプタム１５３４を含む。セプタムハウジング組立体１５３０は、それぞれ前方係合部１５３９を含む複数のセプタムハウジング取付け脚部１５３８を含むことが好ましく、セプタムハウジング取付け脚部１５３８は通常、セプタム取付け部１５３６にスナップ取付けされる。
【０１８５】
図３０Ａ〜３０Ｅで把握されるように、セプタムハウジング組立体１５３０は、それぞれ前方セプタム１５３２および後方セプタム１５３４を収容するそれぞれ前方凹部１６２９および後方凹部１６３０につながる概ね円形のそれぞれ前方開口１６２７および後方開口１６２８を有する概ね円筒状の要素である。開口針収容チャネル１６４０は、前方凹部１６２９と後方凹部１６３０の間で軸５０１に沿って長手方向に延在する。
【０１８６】
特に図３０Ａ〜３０Ｅで把握されるように、前方セプタム１５３２は、好ましくは、ポリイソプレンなどのポリマーで形成された一体形成要素であり、セプタム取付け部１５３６の前方凹部１６２９に収まり後方を向いた前方セプタム面１６４２を画定することが好ましい相対的に太い後方円筒部１６４１、および後方円筒部１６４１の前方に延在し好ましくはセプタムハウジング組立体１５３０の前方開口１６２７を通ってその前方に延在し前方を向いた前方セプタム面１６４６を画定する相対的に細い円筒部１６４４を含む。後方セプタム１５３４は、好ましくは、ポリイソプレンなどのポリマーで形成された一体形成要素であり、円盤状の扁平円筒構成を有し、セプタムハウジング組立体１５３０の後方凹部１６３０に収まる。
【０１８７】
セプタム取付け部１５３６は、そこからセプタムハウジング取付け脚部１５３８が前方に延在する半径方向外方に突出する周方向帯１６４８がスナップ取付けされたまたは固定された概ね円筒状の外面１６４７を有することが把握される。一対の細い突起１６４９は、セプタムハウジングガイド用凹部１６１３および前方止め画定壁面１６１４と係合し、したがってセプタムハウジング組立体１５３０の前方ハウジング部１５１０内での前方変位を制限しセプタムハウジング部１５３０の軸１５０１周りの方位角方向の回転を妨げるために、周方向帯１６４８から半径方向外方に延在する。
【０１８８】
ハブ要素１５４０の図の簡略化されたそれぞれ第１の側面図、第２の側面図、第１の斜視端面図、第２の斜視端面図、および図３１Ｃの線ＸＸＸＩＥ−ＸＸＸＩＥに沿った断面図である図３１Ａ、３１Ｂ、３１Ｃ、３１Ｄおよび３１Ｅをここで参照する。本明細書中で上述したように、ハブ要素１５４０は、後ろ向き端部でメスルアーコネクタ部１５４２を画定し、前向き端部で針取付け部１５４４を画定する。
【０１８９】
メスルアーコネクタ部１５４２と針取付け部１５４４の中間に、半径方向歯付き円周中間部１６５０が配置される。半径方向歯付き円周中間部１６５０は、一対の概ね反対側の周方向隙間１６５４によって分離されている一対の概ね反対側の外向きの円柱面部１６５２を含むことが好ましい。
【０１９０】
それぞれの隙間１６５４内に周方向にかつ外向きの円柱面部１６５２の周方向縁１６５６から半径方向外方に延在するのは、好ましくは均等に周方向に離間している一対の片持ち歯付きアーム１６６０であり、片持ち歯付きアーム１６６０はそれぞれ、概ね円周状のアーム部１６６２および歯部１６６４を含む。
【０１９１】
歯部１６６４は、前向き面１６６６および面１６６６に平行である後ろ向き面１６６８、面１６６６および１６６８に垂直に延在することが好ましい周方向かつ半径方向外方の傾斜面１６７０、半径方向外向きの係合面１６７４、ならびに時計回り向きの半径方向を向いた係止面１６７６を含むことが好ましい。
【０１９２】
半径方向歯付き円周中間部１６５０の前方に、前向き面１６８０、外向き円筒縁面１６８２および後ろ向き面１６８４を有する前向きフランジ１６７８が在る。
【０１９３】
後方ハウジング部１５２０の簡略化された斜視端面図、切り取り斜視端面図および断面図である図３２Ａ、３２Ｂおよび３２Ｃをここでさらに参照する。
【０１９４】
図２８および３２Ａ〜３２Ｃで把握されるように、後方ハウジング部１５２０は、軸１５０１に沿って配置され、前方端部１７００、後方端部１７０２、円柱外向き面１７０４および円柱内向き面１７０６を有する全体的に円柱状の要素であることが好ましい。前向き面１７２２および後ろ向き面１７２４を有する内方を向いたフランジ１７２０は、前方端部１７００と後方端部１７０２の中間にあり、内向き面１７０６の半径方向内方に延在する。
【０１９５】
内方を向いたフランジ１７２０の前方の円柱内向き面１７０６の周方向かつ半径方向内方に延在するのは、概ね等間隔の好ましくは４個の複数の歯１７３０であり、歯１７３０はそれぞれ、ゆるやかに傾斜した半径方向向きの面１７３２および反時計回り向きの半径方向を向いた係止面１７３４を有する。歯１７３０のそれぞれの半径方向内方の大きさは、内向き面１７０６から反時計回り向きの係止面１７３４に反時計回りに増大する。
【０１９６】
ハブ要素１５４０の歯部１６６４および後方ハウジング部１５２０の歯１７３０の構成は、シリンジまたは他の要素（図示せず）のオスルアーコネクタが前向きの視点で、時計回りの回転方向でメスルアーコネクタ部１５４２にねじ込まれたとき、シリンジを前述の時計回り方向に回転させることを続けると、ハブ要素１５４０の前述の時計回り方向の対応する回転が生じ、時計回り向きの半径方向を向いた係止面１６７６は、後方ハウジング部１５２０の歯１７３０のうちの２個の歯の対応する反時計回り向きの半径方向を向いた係止面１７３４と係止係合するようなものであることが好ましい。前述の時計回りの回転方向は、図３２Ａでは矢印１７７０で示される。
【０１９７】
前方ハウジング部１５１０と後方ハウジング部１５２０のスナップフィット係合において前方ハウジング部１５１０の対応する突起１６２１を受け、それによって前方ハウジング部１５１０と後方ハウジング部１５２０の間に軸方向のかつ方位角方向の係止の両方を提供する複数の方位角方向に相互に離間している周方向凹部１７３８は、内向き面１７０６に形成される。
【０１９８】
図１Ａ〜９Ｇおよび１０Ａ〜１７Ｆに示す実施形態では、それぞれハブ要素１４０および５４０は、それぞれ前方ハウジング部１１０および５１０に対してかつそれぞれ後方ハウジング部１２０および５２０に対して軸方向に移動可能であるが、図１８Ａ〜２４Ｃに示す実施形態に類似する図２７Ａ〜３２Ｃに示す実施形態では、前方ハウジング部１５１０と後方ハウジング部１５２０の上記の軸方向のかつ方位角方向の係止により、ハブ要素１５４０も前方ハウジング部１５１０に対してかつ後方ハウジング部１５２０に対して軸方向に係止されるが、ハブ要素１５４０の前方ハウジング部１５１０に対するかつ後方ハウジング部１５２０に対する軸１５０１周りの方位角方向の移動は可能であることが理解される。
【０１９９】
ハブ要素１５４０の半径方向を向いた係止面１６７６および後方ハウジング部１５２０の対応する係止面１７３４の４つの異なる回転方位における相対的位置を示す図３１Ｆ〜３１Ｉをここで参照する。
【０２００】
図３１Ｆで把握されるように、第１の回転方位では、ハブ要素１５４０の半径方向を向いた係止面１６７６は、後方ハウジング部１５２０の係止面１７３４と時計回り動作係止係合し、ハブ要素１５４０の後方ハウジング部１５２０に対する矢印１７７０で示すような前向きの視点で、時計回りの回転を妨げる。この方位では、ハブ要素１５４０の後方ハウジング部１５２０に対する反時計回りの移動は可能であることが理解される。
【０２０１】
図３１Ｇおよび３１Ｈで把握されるように、第２のかつ第３の回転方位では、ハブ要素１５４０は、図３１Ｆで示した方位から後方ハウジング部１５２０に対する前向きの視点で、反時計回りに回転している。ハブ要素１５４０の半径方向を向いた係止面１６７６は、後方ハウジング部１５２０の係止面１７３４と時計回り動作係止係合していない。これらの方位では、矢印１７８０で示すようなハブ要素１５４０の後方ハウジング部１５２０に対する前向きの視点で、反時計回りの回転は可能となることが理解される。図３１Ｆで示した第１の回転方位に戻る、ハブ要素１５４０の後方ハウジング部１５２０に対する前向きの視点で、時計回りの制限された回転は可能であることも理解される。
【０２０２】
図３１Ｉで把握されるように、第４の回転方位では、ハブ要素１５４０は、図３１Ｆで示した方位から、前向きの視点で、矢印１７８０で示すように９０°反時計回りに回転している。ハブ要素１５４０の半径方向を向いた係止面１６７６は、後方ハウジング部１５２０の係止面１７３４と時計回り動作係止係合し、ハブ要素１５４０の後方ハウジング部１５２０に対する前向きの視点で、時計回りの回転を妨げる。この方位では、ハブ要素１５４０の後方ハウジング部１５２０に対する反時計回りの移動は可能であることが理解される。
【０２０３】
図２７Ａ〜３２Ｃのルアーロックアダプタの、従来のルアーロックシリンジに対するそれぞれ第１の動作方位、第２の動作方位、第３の動作方位、第４の動作方位、第５の動作方位および第６の動作方位における簡略化された図である図３３Ａ、３３Ｂ、３３Ｃ、３３Ｄ、３３Ｅおよび３３Ｆをここで参照する。
【０２０４】
図３３Ａは、図２７Ａ〜３２Ｃのルアーロックアダプタ１５００に接続されようとするオスルアーコネクタ１８０２を有する従来のルアーロックシリンジ１８００を示す。ルアーロックシリンジ１８００がルアーロックアダプタ１５００へ係合される前、前方ハウジング部１５１０と後方ハウジング部１５２０のスナップフィット係合、より具体的には、前方ハウジング部１５１０の対応する突起１６２１を受ける、後方ハウジング部の相互に方位角方向に離間している周方向凹部１７３８におけるスナップフィット係合により、ハブ要素１５４０は図２７Ｅで把握されるように保持され、したがって、図３３Ａの表示Ａの断面拡大図で見られるように、ハブ要素１５４０の歯部１６６４は、後方ハウジング部１５２０の歯１７３０と概ね同一平面内にあり、動作係合する。
【０２０５】
通常、歯要素１６６４の時計回り向きの半径方向を向いた係止面１６７６は、後方ハウジング部１５２０の歯１７３０の反時計回り向きの半径方向を向いた係止面１７３４と係止係合し、それによって、矢印１７８０で表されるハブ要素１５４０の後方ハウジング部１５２０に対する前向きの視点で、反時計周りの回転は可能になるが、矢印１７７０で表されるハブ要素１５４０の後方ハウジング部１５２０に対する前向きの視点で、時計周りの回転は妨げられる。
【０２０６】
図３３Ｂは、オスルアーコネクタ１８２０がメスルアーコネクタ部１５４２とその後ろ向き端部で接触係合するような、シリンジ１８００のルアーロックアダプタ１５００に対する軸１５０１に沿った初期前方軸方向変位を示す。後方ハウジング部１５２０とハブ要素１５４０の係止係合は、図３３Ａを参照して本明細書中で上述されたものと変わらない。
【０２０７】
図３３Ｃは、オスルアーコネクタ１８０２がハブ要素１５４０のメスルアーコネクタ部１５４２と完全螺合摩擦係合するような、矢印１７７０で示すようなシリンジ１８００のルアーロックアダプタ１５００に対する軸１５０１周りの時計回りの回転を示す。この回転は、軸１５０１に沿ったさらなる前方軸力を加えることなく行われる。この完全螺合は、後方ハウジング部１５２０に対する時計回りの回転に対して、ハブ要素１５４０の回転の上記係止をすることよって可能になる。
【０２０８】
図３３Ｄ、３３Ｅおよび３３Ｆは、オスルアーコネクタ１８０２をハブ要素１５４０のメスルアーコネクタ部１５４２から係合解除しようとする試みにおいて、矢印１７８０で示すようなシリンジ１８００の、ルアーロックアダプタ１５００の後方ハウジング部１５２０に対する軸１５０１周りの反時計回りの回転を示す。この試みは、オスルアーコネクタ１８０２とハブ要素１５４０のメスルアーコネクタ部１５４２の摩擦係合により、かつ、ハブ要素１５４０はルアーロックアダプタ１５００の残りの部分に対して反時計周りに回転自在であることにより、成功しない。図３３Ｄおよび３３Ｅの表示Ａの断面拡大図で、ハブ要素１５４０の後方ハウジング部１５２０に対する反時計回りの移動により、歯要素１６６４の半径方向を向いた係止面１６７６は、後方ハウジング部１５２０の歯１７３０の反時計回り向きの半径方向を向いた係止面１７３４ともはや係止係合していないことが把握される。図３３Ｆの表示Ａの断面拡大図で把握されるように、シリンジ１８００およびハブ要素１５４０の後方ハウジング部１５２０に対する９０°の回転を受けて、歯要素１６６４の半径方向を向いた係止面１６７６は再度、後方ハウジング部１５２０の歯１７３０の反時計回り向きの半径方向を向いた係止面１７３４と係止係合し、ハブ要素１５４０の後方ハウジング部１５２０に対する時計回りの移動を妨げるが、ハブ要素１５４０の後方ハウジング部１５２０に対する反時計回りの移動を可能にする。
【０２０９】
図２７Ａ〜３２Ｃのルアーロックアダプタの、従来のルアーロックコネクタに対するそれぞれ第１の動作方位、第２の動作方位、第３の動作方位、第４の動作方位、第５の動作方位および第６の動作方位における簡略された図である図３４Ａ、３４Ｂ、３４Ｃ、３４Ｄ、３４Ｅおよび３４Ｆをここで参照する。
【０２１０】
図３４Ａは、図２７Ａ〜３２Ｃのルアーロックアダプタ１５００に接続されようとするオスルアーコネクタ１９０２を有する従来のルアーロックコネクタ１９００を示す。ルアーロックコネクタ１９００がルアーロックアダプタ１５００へ係合される前、前方ハウジング部１５１０と後方ハウジング部１５２０のスナップフィット係合、より具体的には、前方ハウジング部１５１０の対応する突起１６２１を受ける、後方ハウジング部の相互に方位角方向に離間している周方向凹部１７３８におけるスナップフィット係合により、ハブ要素１５４０は図２７Ｅで見られるように保持され、したがって、図３４Ａの表示Ａの断面拡大図で見られるように、ハブ要素１５４０の歯部１６６４は、後方ハウジング部１５２０の歯１７３０と概ね同一平面内にあり動作係合する。
【０２１１】
通常、歯要素１６６４の時計回り向きの半径方向を向いた係止面１６７６は、後方ハウジング部１５２０の歯１７３０の反時計回り向きの半径方向を向いた係止面１７３４と係止係合し、それによって、矢印１８２０で表されるハブ要素１５４０の後方ハウジング部１５２０に対する前向きの視点で、反時計周りの回転は可能になるが、矢印１７７０で表されるハブ要素１５４０の後方ハウジング部１５２０に対する前向きの視点で、時計周りの回転は妨げられる。
【０２１２】
図３４Ｂは、オスルアーコネクタ１９０２がメスルアーコネクタ部１５４２とその後ろ向き端部で接触係合するような、ルアーロックコネクタ１９００のルアーロックアダプタ１５００に対する軸１５０１に沿った初期前方軸方向変位を示す。後方ハウジング部１５２０とハブ要素１５４０の係止係合は、図３４Ａを参照して本明細書中で上述されたものと変わらない。
【０２１３】
図３４Ｃは、オスルアーコネクタ１９０２がハブ要素１５４０のメスルアーコネクタ部１５４２と完全螺合摩擦係合するような、ルアーロックコネクタ１９００のルアーロックアダプタ１５００に対する軸１５０１周りの時計回りの回転を示す。この回転は、軸１５０１に沿ったさらなる前方軸力を加えることなく行われる。この完全螺合は、後方ハウジング部１５２０に対する時計回りの回転に対して、ハブ要素１５４０の回転の上記係止をすることによって可能になる。
【０２１４】
図３４Ｄ、３４Ｅおよび３４Ｆは、オスルアーコネクタ１９０２をハブ要素１５４０のメスルアーコネクタ部１５４２から係合解除しようとする試みにおいて、矢印１８２０で示すようなルアーロックコネクタ１９００の、ルアーロックアダプタ１５００の後方ハウジング部１５２０に対する軸１５０１周りの反時計回りの回転を示す。この試みは、オスルアーコネクタ１９０２とハブ要素１５４０のメスルアーコネクタ部１５４２の摩擦係合により、かつ、ハブ要素１５４０はルアーロックアダプタ１５００の残りの部分に対して反時計周りに回転自在であることにより、成功しない。図３４Ｄおよび３４Ｅの表示Ａの断面拡大図で、ハブ要素１５４０の後方ハウジング部１５２０に対する反時計回りの移動により、歯要素１６６４の半径方向を向いた係止面１６７６は、後方ハウジング部１５２０の歯１７３０の反時計回り向きの半径方向を向いた係止面１７３４ともはや係止係合していないことが把握される。図３４Ｆの表示Ａの断面拡大図で見られるように、ルアーロックコネクタ１９００およびハブ要素１５４０の後方ハウジング部１５２０に対する９０°の回転を受けて、歯要素１６６４の半径方向を向いた係止面１６７６は再度、後方ハウジング部１５２０の歯１７３０の反時計回り向きの半径方向を向いた係止面１７３４と係止係合し、ハブ要素１５４０の後方ハウジング部１５２０に対する時計回りの移動を妨げるが、ハブ要素１５４０の後方ハウジング部１５２０に対する反時計回りの移動を可能にする。
【０２１５】
本発明は、本明細書中上記に具体的に示され記載されたものによって限定されないことが当業者に理解されよう。むしろ、本発明の範囲は、従来技術にはない、本明細書中上記に示されたまたは記載された様々な特徴の変更形態および変形形態ならびにその組み合わせおよびサブコンビネーションを含む。
【図１Ａ】
2019502458.tif 000003
【図１Ｂ】
2019502458.tif 000004
【図１Ｃ】
2019502458.tif 000005
【図１Ｄ】
2019502458.tif 000006
【図１Ｅ】
2019502458.tif 000007
【図２】
2019502458.tif 000008
【図３Ａ】
2019502458.tif 000009
【図３Ｂ】
2019502458.tif 000010
【図３Ｃ】
2019502458.tif 000011
【図３Ｄ】
2019502458.tif 000012
【図４Ａ】
2019502458.tif 000013
【図４Ｂ】
2019502458.tif 000014
【図５Ａ】
2019502458.tif 000015
【図５Ｂ】
2019502458.tif 000016
【図５Ｃ】
2019502458.tif 000017
【図５Ｄ】
2019502458.tif 000018
【図６Ａ】
2019502458.tif 000019
【図６Ｂ】
2019502458.tif 000020
【図６Ｃ】
2019502458.tif 000021
【図６Ｄ】
2019502458.tif 000022
【図６Ｅ】
2019502458.tif 000023
【図７Ａ】
2019502458.tif 000024
【図７Ｂ】
2019502458.tif 000025
【図７Ｃ】
2019502458.tif 000026
【図８Ａ】
2019502458.tif 000027
【図８Ｂ】
2019502458.tif 000028
【図８Ｃ】
2019502458.tif 000029
【図８Ｄ】
2019502458.tif 000030
【図８Ｅ】
2019502458.tif 000031
【図８Ｆ】
2019502458.tif 000032
【図８Ｇ】
2019502458.tif 000033
【図９Ａ】
2019502458.tif 000034
【図９Ｂ】
2019502458.tif 000035
【図９Ｃ】
2019502458.tif 000036
【図９Ｄ】
2019502458.tif 000037
【図９Ｅ】
2019502458.tif 000038
【図９Ｆ】
2019502458.tif 000039
【図９Ｇ】
2019502458.tif 000040
【図１０Ａ】
2019502458.tif 000041
【図１０Ｂ】
2019502458.tif 000042
【図１０Ｃ】
2019502458.tif 000043
【図１０Ｄ】
2019502458.tif 000044
【図１０Ｅ】
2019502458.tif 000045
【図１０Ｆ】
2019502458.tif 000046
【図１１】
2019502458.tif 000047
【図１２Ａ】
2019502458.tif 000048
【図１２Ｂ】
2019502458.tif 000049
【図１２Ｃ】
2019502458.tif 000050
【図１２Ｄ】
2019502458.tif 000051
【図１２Ｅ】
2019502458.tif 000052
【図１２Ｆ】
2019502458.tif 000053
【図１３Ａ】
2019502458.tif 000054
【図１３Ｂ】
2019502458.tif 000055
【図１３Ｃ】
2019502458.tif 000056
【図１３Ｄ】
2019502458.tif 000057
【図１３Ｅ】
2019502458.tif 000058
【図１４Ａ】
2019502458.tif 000059
【図１４Ｂ】
2019502458.tif 000060
【図１４Ｃ】
2019502458.tif 000061
【図１４Ｄ】
2019502458.tif 000062
【図１４Ｅ】
2019502458.tif 000063
【図１５Ａ】
2019502458.tif 000064
【図１５Ｂ】
2019502458.tif 000065
【図１５Ｃ】
2019502458.tif 000066
【図１６Ａ】
2019502458.tif 000067
【図１６Ｂ】
2019502458.tif 000068
【図１６Ｃ】
2019502458.tif 000069
【図１６Ｄ】
2019502458.tif 000070
【図１６Ｅ】
2019502458.tif 000071
【図１６Ｆ】
2019502458.tif 000072
【図１７Ａ】
2019502458.tif 000073
【図１７Ｂ】
2019502458.tif 000074
【図１７Ｃ】
2019502458.tif 000075
【図１７Ｄ】
2019502458.tif 000076
【図１７Ｅ】
2019502458.tif 000077
【図１７Ｆ】
2019502458.tif 000078
【図１８Ａ】
2019502458.tif 000079
【図１８Ｂ】
2019502458.tif 000080
【図１８Ｃ】
2019502458.tif 000081
【図１８Ｄ】
2019502458.tif 000082
【図１８Ｅ】
2019502458.tif 000083
【図１９】
2019502458.tif 000084
【図２０Ａ】
2019502458.tif 000085
【図２０Ｂ】
2019502458.tif 000086
【図２０Ｃ】
2019502458.tif 000087
【図２０Ｄ】
2019502458.tif 000088
【図２１Ａ】
2019502458.tif 000089
【図２１Ｂ】
2019502458.tif 000090
【図２２Ａ】
2019502458.tif 000091
【図２２Ｂ】
2019502458.tif 000092
【図２２Ｃ】
2019502458.tif 000093
【図２２Ｄ】
2019502458.tif 000094
【図２３Ａ】
2019502458.tif 000095
【図２３Ｂ】
2019502458.tif 000096
【図２３Ｃ】
2019502458.tif 000097
【図２３Ｄ】
2019502458.tif 000098
【図２３Ｅ】
2019502458.tif 000099
【図２３Ｆ】
2019502458.tif 000100
【図２３Ｇ】
2019502458.tif 000101
【図２３Ｈ】
2019502458.tif 000102
【図２３Ｉ】
2019502458.tif 000103
【図２４Ａ】
2019502458.tif 000104
【図２４Ｂ】
2019502458.tif 000105
【図２４Ｃ】
2019502458.tif 000106
【図２５Ａ】
2019502458.tif 000107
【図２５Ｂ】
2019502458.tif 000108
【図２５Ｃ】
2019502458.tif 000109
【図２５Ｄ】
2019502458.tif 000110
【図２５Ｅ】
2019502458.tif 000111
【図２５Ｆ】
2019502458.tif 000112
【図２６Ａ】
2019502458.tif 000113
【図２６Ｂ】
2019502458.tif 000114
【図２６Ｃ】
2019502458.tif 000115
【図２６Ｄ】
2019502458.tif 000116
【図２６Ｅ】
2019502458.tif 000117
【図２６Ｆ】
2019502458.tif 000118
【図２７Ａ】
2019502458.tif 000119
【図２７Ｂ】
2019502458.tif 000120
【図２７Ｃ】
2019502458.tif 000121
【図２７Ｄ】
2019502458.tif 000122
【図２７Ｅ】
2019502458.tif 000123
【図２８】
2019502458.tif 000124
【図２９Ａ】
2019502458.tif 000125
【図２９Ｂ】
2019502458.tif 000126
【図２９Ｃ】
2019502458.tif 000127
【図２９Ｄ】
2019502458.tif 000128
【図３０Ａ】
2019502458.tif 000129
【図３０Ｂ】
2019502458.tif 000130
【図３０Ｃ】
2019502458.tif 000131
【図３０Ｄ】
2019502458.tif 000132
【図３０Ｅ】
2019502458.tif 000133
【図３１Ａ】
2019502458.tif 000134
【図３１Ｂ】
2019502458.tif 000135
【図３１Ｃ】
2019502458.tif 000136
【図３１Ｄ】
2019502458.tif 000137
【図３１Ｅ】
2019502458.tif 000138
【図３１Ｆ】
2019502458.tif 000139
【図３１Ｇ】
2019502458.tif 000140
【図３１Ｈ】
2019502458.tif 000141
【図３１Ｉ】
2019502458.tif 000142
【図３２Ａ】
2019502458.tif 000143
【図３２Ｂ】
2019502458.tif 000144
【図３２Ｃ】
2019502458.tif 000145
【図３３Ａ】
2019502458.tif 000146
【図３３Ｂ】
2019502458.tif 000147
【図３３Ｃ】
2019502458.tif 000148
【図３３Ｄ】
2019502458.tif 000149
【図３３Ｅ】
2019502458.tif 000150
【図３３Ｆ】
2019502458.tif 000151
【図３４Ａ】
2019502458.tif 000152
【図３４Ｂ】
2019502458.tif 000153
【図３４Ｃ】
2019502458.tif 000154
【図３４Ｄ】
2019502458.tif 000155
【図３４Ｅ】
2019502458.tif 000156
【図３４Ｆ】
2019502458.tif 000157
【国際調査報告】
2019502458.tif 000158
2019502458.tif 000159
2019502458.tif 000160
2019502458.tif 000161
2019502458.tif 000162
2019502458.tif 000163
2019502458.tif 000164
2019502458.tif 000165
2019502458.tif 000166
2019502458.tif 000167
2019502458.tif 000168
2019502458.tif 000169
2019502458.tif 000170
2019502458.tif 000171
2019502458.tif 000172
2019502458.tif 000173
2019502458.tif 000174